(57)【要約】      （修正有）【課題】突発的に入ってくる医療業務行為に関する突発的医療行為情報を医療日誌等の医療記録に自動で反映することが出来るようにする。【解決手段】一の携帯端末は突発的に発生した事項に対して医療業務行為を行なったことを示す突発的医療行為情報に処置者情報及び位置情報を付してサーバコンピュータへ送信する工程と、サーバコンピュータは処置者情報及び位置情報を伴う突発的医療行為情報を受信した時刻である時刻情報と共に医療業務行為データベースへ記録する工程と、サーバコンピュータは処置者情報により関連付けられる医療従事者毎に医療業務行為データベースから時刻情報及び位置情報を伴う突発的医療行為情報をまとめて出力する工程と、を備えて構成される。【選択図】図１
2005141387.tif 000002
【特許請求の範囲】
【請求項１】
医者や看護士等の医療従事者に携行させる複数の携帯端末から無線通信回線を通じて送信されてくる既に患者に対して行った医療業務行為に関する情報をサーバコンピュータが受信し、当該サーバコンピュータの補助記憶装置の医療業務行為データベースに記録し、当該医療業務行為データベースを用いて前記医療従事者が医療日誌等を作成することを支援する医療記録支援方法であって、
一の携帯端末は、突発的に発生した事項に対して医療業務行為を行なったことを示す突発的医療行為情報に、当該医療業務行為を行った者がいずれの医療従事者であるのかを示す処置者情報及び病院内の何れの場所にいたかを示す位置情報を少なくとも付してサーバコンピュータへ送信する工程と、
前記サーバコンピュータは、少なくとも前記処置者情報及び前記位置情報を伴う前記突発的医療行為情報を、又は少なくとも前記処置者情報及び前記位置情報を伴う前記突発的医療行為情報を医療業務行為を行った時刻情報と共に、前記医療業務行為データベースへ記録する工程と、
前記サーバコンピュータは、前記処置者情報により関連付けられる医療従事者毎に前記医療業務行為データベースから前記時刻情報及び／又は前記位置情報を伴う前記突発的医療行為情報をまとめて出力する工程と、
を備えて構成されてなる医療記録支援方法。
【請求項２】
請求項１に記載の医療記録支援方法において、
予め、前記医療業務行為データベースに患者に対してこれから行われる予定の医療業務行為を含む医療業務行為計画情報を記録する工程と、
前記一の携帯端末は、前記医療業務行為データベースに予め記録されている前記医療行為計画情報に基づいて医療業務行為を行なったことを示す処置済情報、又は前記突発的医療行為情報に、少なくとも前記処置者情報及び前記位置情報を付して前記サーバコンピュータへ送信する工程と、
前記サーバコンピュータは、少なくとも前記処置者情報及び前記位置情報を伴う前記処置済情報又は前記突発的医療行為情報を、又は少なくとも前記処置者情報及び前記位置情報を伴う前記処置済情報又は前記突発的医療行為情報を医療業務行為を行った時刻情報と共に、前記医療業務行為データベースへ記録する工程と、
前記サーバコンピュータは、医療従事者毎に前記医療業務行為データベースから前記時刻情報及び／又は前記位置情報を伴う前記処置済情報及び前記突発的医療行為情報をまとめて出力する工程と、
を備えていて、
予定されていて行った医療業務行為及び突発的に生じて行った医療業務行為をあわせて閲覧及び記録可能にすることを特徴とする医療記録支援方法。
【請求項３】
請求項２に記載の医療記録支援方法であって、
予め、少なくとも一の医療従事者と関連させ且つ行う時刻と共に、前記医療業務行為データベースに前記医療業務行為計画情報を記録する工程と、
前記サーバコンピュータは、前記医療業務行為データベースに蓄積されている前記医療行為計画情報から、前記一の医療従事者に関する未だ行われていない医療業務行為計画情報を抽出する工程と、
前記サーバコンピュータは、抽出した前記医療業務行為計画情報を、前記行う時刻及び既に行った医療業務行為であって当該医療業務行為の直近の医療業務行為を行った時刻と共に、前記一の医療従事者の携帯する前記一の携帯端末に送信する工程と、
前記一の携帯端末は、前記一の医療従事者に参照可能に送信されてきた情報を出力する工程と、
を備えていて、
前記一の医療従事者は、これから行う医療業務行為に既に行った医療業務行為を反映可能にすることを特徴とする医療記録支援方法。
【請求項４】
請求項１〜３のいずれか一項に記載の医療記録支援方法において、
予め、少なくとも患者毎に一の医療従事者及び外科や内科等のその医療分野と関連させて、前記医療業務行為データベースに前記医療業務行為計画情報を記録する工程と、
前記サーバコンピュータは、前記医療業務行為データベースに蓄積されている一の医療従事者に関する前記位置情報と対応する一の患者情報を、前記医療業務行為計画情報から抽出し、前記一の医療従事者に送信する工程と、
前記一の携帯端末は、前記一の患者情報と共に、前記一の患者の医療分野に適合した入力手段を、前記一の携帯端末の補助記憶装置の医療分野データベースから抽出して、前記一の医療従事者に参照可能に出力する工程と、
を備えていて、
前記一の患者に行われる医療業務行為が前記入力手段を介して入力可能になることを特徴とする医療記録支援方法。
【請求項５】
請求項１〜４のいずれか一項に記載の医療記録支援方法において、  
前記一の携帯端末は、前記突発的医療行為情報の一部として、音声及び／又は画像を一時的に記録する一時記録装置を作動させ、前記突発的医療行為情報に関する音声及び／又は画像を予備情報として一時的に記録し、前記予備情報を含む前記突発的医療行為情報を前記サーバコンピュータへ送信する工程と、
前記サーバコンピュータは、受信した前記予備情報を前記突発的医療行為情報と共に前記医療業務行為データベースに記録する工程と、
を備えていて、
前記医療業務行為を行った者が医療日誌等を作成する時に、既に行った前記医療業務行為の内容を思い出す補助的な役割をなすことを特徴とする医療記録支援方法。
【請求項６】
請求項１〜５のいずれか一項に記載の医療記録支援方法において、
前記サーバコンピュータは、医療従事者が持ち出した医薬品の持出医薬品情報を、当該医薬品を持ち出した当該医療従事者の前記処置者情報と関連付けて医薬品データベースに記録する工程と、
前記一の携帯端末は、前記処置済情報又は前記突発的医療行為情報に、少なくとも当該医療業務行為に用いた医薬品の使用済医薬品情報を付して前記サーバコンピュータへ送信する工程と、
前記サーバコンピュータは、前記医薬品データベースに記録されている前記持出医薬品情報を、前記使用済医薬品情報と照合する工程と、
前記サーバコンピュータは、前記持出医薬品情報と合致する前記使用済医薬品情報が無い場合、前記持出医薬品情報と関連付けて前記医薬品データベースに記録されている前記処置者情報から特定される前記一の医療従事者の携帯する前記一の携帯端末に警告信号を送信する工程と、
を備えていて、
持ち出された医薬品が適切に管理されることを特徴とする医療記録支援方法。
【請求項７】
患者に対して行った医療業務行為に関する情報を記録可能な医療業務行為データベースを補助記憶装置に有するサーバコンピュータと、医者や看護士等の医療従事者に携行させる前記サーバコンピュータに無線通信回線を介して互いにアクセス可能な複数の携帯端末と、を備え、当該医療業務行為データベースを用いて前記医療従事者が医療日誌等を作成することを支援する医療記録支援システムであって、
一の携帯端末は、
突発的に発生した事項に対して医療業務行為を行なったことを示す突発的医療行為情報を入力可能にする手段と、
前記医療業務行為を行った者がいずれの医療従事者であるのかを示す処置者情報を提供可能にする手段と、
前記医療業務行為を行なった者が、病院内の何れの場所にいたかを示す位置情報を病院内の所定の場所に配置された位置情報提供装置から提供される位置情報データから検出する手段と、そして、
少なくとも前記処置者情報及び前記位置情報を付して前記突発的医療行為情報を前記サーバコンピュータへ送信する手段と、
前記サーバコンピュータは、
少なくとも前記処置者情報及び前記位置情報を伴う前記突発的医療行為情報を受信する手段と、
少なくとも前記処置者情報及び前記位置情報を伴う前記突発的医療行為情報を、又は少なくとも前記処置者情報及び前記位置情報を伴う前記突発的医療行為情報を医療業務行為を行った時刻情報と共に前記医療業務行為データベースへ記録する手段と、そして、
前記処置者情報により関連付けられる医療従事者毎に前記医療業務行為データベースから前記時刻情報及び／又は前記位置情報を伴う前記突発的医療行為情報をまとめて出力する手段と、
を含んで構成されてなる医療記録支援システム。
【請求項８】
請求項７に記載の医療記録支援システムにおいて、
前記一の携帯端末は、
前記医療業務行為データベースに予め記録されている医療行為計画情報に基づいて医療業務行為を行なったことを示す処置済情報を入力可能にする手段と、そして、
少なくとも前記処置者情報及び前記位置情報を付した前記処置者情報又は前記突発的医療行為情報を前記サーバコンピュータへ送信する手段と、
前記サーバコンピュータは、
予め、前記医療業務行為データベースに患者に対してこれから行われる予定の医療業務行為を含む前記医療業務行為計画情報を記録する手段と、
少なくとも前記処置者情報及び前記位置情報を伴う前記処置済情報又は突発的医療行為情報を受信する手段と、
少なくとも前記処置者情報及び前記位置情報を伴う前記処置済情報又は前記突発的医療行為情報を、又は少なくとも前記処置者情報及び前記位置情報を伴う前記処置済情報又は前記突発的医療行為情報を医療業務行為を行った時刻情報と共に前記医療業務行為データベースへ記録する手段と、そして、
前記処置者情報により関連付けられる医療従事者毎に前記医療業務行為データベースから前記時刻情報及び／又は前記位置情報を伴う前記処置済情報及び前記突発的医療行為情報をまとめて出力する手段と、
を備えることを特徴とする医療記録支援システム。
【請求項９】
請求項８に記載の医療記録支援システムであって、
前記サーバコンピュータは、
予め、少なくとも一の医療従事者と関連させ且つ行う時刻と共に、前記医療業務行為データベースに前記医療業務行為計画情報を記録する手段と、
前記医療業務行為データベースに蓄積されている前記医療行為計画情報から、前記一の医療従事者に関する未だ行われていない医療行為計画情報を抽出する手段と、
抽出した前記医療行為計画情報を、前記行う時刻及び既に行った医療業務行為であって当該医療業務行為の直近の医療業務行為を行った時刻を前記医療業務行為データベースから抽出する手段と、そして、
前記医療行為計画情報を、前記行う時刻及び前記既に行った医療業務行為であって当該医療業務行為の直近の医療業務行為を行った時刻と共に、前記一の医療従事者の携帯する前記一の携帯端末に送信する手段と、
前記一の携帯端末は、
前記一の医療従事者に参照可能に前記サーバコンピュータから送信されてきた情報を出力する手段と、
を備えることを特徴とする医療記録支援システム。
【請求項１０】
請求項７〜９のいずれか一項に記載の医療記録支援システムにおいて、
前記サーバコンピュータは、
予め、少なくとも患者毎に一の医療従事者及び外科や内科等のその医療分野と関連させて、前記医療業務行為データベースに前記医療業務行為計画情報を記録する手段と、そして、
前記医療業務行為データベースに蓄積されている一の医療従事者に関する前記位置情報と対応する一の患者情報を、前記医療業務行為計画情報から抽出し、前記一の医療従事者に送信する手段と、
前記一の携帯端末は、
医療分野ごとに特有の入力手段をまとめた医療分野データベースを記録する補助記憶装置と、そして、
前記一の患者情報と共に、前記一の患者の医療分野に適合した前記入力手段を、前記医療分野データベースから抽出して、前記一の医療従事者に参照可能に出力する手段と、
を備えることを特徴とする医療記録支援システム。
【請求項１１】
請求項７〜１０のいずれか一項に記載の医療記録支援システムにおいて、
前記一の携帯端末は、
前記突発的医療行為情報の一部として、音声及び／又は画像を一時的に記録する一時記録装置と、
前記一時記録装置を作動させ、前記突発的医療行為情報に関する音声及び／又は画像を予備情報として一時的に記録する手段と、そして、
前記予備情報を含む前記突発的医療行為情報を前記サーバコンピュータへ送信する手段と、
前記サーバコンピュータは、
受信した前記予備情報を前記突発的医療行為情報と共に前記医療業務行為データベースに記録する手段と、
を備えることを特徴とする医療記録支援システム。
【請求項１２】
請求項７〜１１のいずれか一項に記載の医療記録支援システムにおいて、
前記一の携帯端末は、
前記処置済情報又は前記突発的医療行為情報に、少なくとも当該医療業務行為に用いた医薬品の使用済医薬品情報を付して前記サーバコンピュータへ送信する手段と、
前記サーバコンピュータは、
一の医療従事者が持ち出した医薬品の持出医薬品情報が、少なくとも記録される医薬品データベースと、
持出医薬品情報に当該医薬品を持ち出した当該一の医療従事者の処置者情報と関連付けて前記医薬品データベースに記録する手段と、
前記医薬品データベースに記録されている前記持出医薬品情報を、前記使用済医薬品情報と照合し、前記持出医薬品情報と合致する前記使用済医薬品情報が無いか否かを判断する手段と、
前記持出医薬品情報と合致する前記使用済医薬品情報が無いと判断した場合に、前記持出医薬品情報と関連付けて前記医薬品データベースに記録されている前記処置者情報から特定される前記一の医療従事者の携帯する前記一の携帯端末を特定する手段と、
特定した前記一の携帯端末に警告信号を送信する手段と、
を備えていて、
持ち出された医薬品が適切に管理されることを特徴とする医療記録支援システム。
【発明の詳細な説明】
【技術分野】
【０００１】
本発明は、病院等の医療機関において医者や看護士等の医療従事者が患者に対して行った医療業務行為を医療日誌等の医療記録に反映させることに関するものである。
【背景技術】
【０００２】
従来、医者や看護士等の医療従事者が患者に対して行った医療行為は、日常業務の合間に医療従事者により医療日誌等にまとめられていた。医療従事者が行う医療行為は、一般的に主治医が診察してカルテにまとめられた医療行為計画情報に基づいている。そして、現在、主治医はコンピュータに患者を診察した診断結果を入力し、コンピュータ画面による表示や出力した紙面を見て医療記録を作成することが出来るようになっている。その結果、医療従事者はこれから行う及び、予定していて既に行った医療行為をコンピュータを用いて管理することが出来るようになり、一部で既に行われている。
【０００３】
医療従事者は、病院等の医療機関内を業務中に移動しており、これらの医療従事者が予定通りに行った医療行為をコンピュータ等に正確に記録することも可能になっている。そして、これらの記録を用いて、これら医療従事者は医療日誌等に記す際に役立てることが出来るようになっている。
【０００４】
例えば、特許文献１には、携帯型コンピュータにて薬や使用する医療器具の情報を読み取り予め保存されたデータと照合してそれが正しいものか否かをチェックする。そして、そのデータはコンピュータに保存されて作業日報としたり、医療行為作業履歴として保存したりする、という技術が開示されている。
【０００５】
しかし、このような従来技術では、突発的に入ってくる医療業務行為を作業日報や医療日誌等の医療記録に自動で反映することが出来ないという欠点があり、実際の医療現場には適用することが難しいという問題点がある。また、医療業務行為としてどのような内容のものを行ったのかを柔軟に記録できず、後で作業日報や医療日誌等を書く時に不便であり、確実な医療業務行為の管理が出来ないという問題点がある。そして、これらのため、引き続き行う医療業務行為に医療ミスが生じる可能性がある。
【０００６】
【特許文献１】特開２００１−３１２５６６号公報
【発明の開示】
【発明が解決しようとする課題】
【０００７】
そこで、解決しようとする課題は、突発的に入ってくる医療業務行為を作業日報や医療日誌等の医療記録に自動で反映することが出来るようにすることである。また、医療業務行為としてどのような内容のものを行ったのかを自動で記録することを可能にし、後で作業日報や医療日誌等を書く時に既に行った医療業務行為を確実に反映させることである。
【課題を解決するための手段】
【０００８】
上記課題を解決するために、第一の本発明は、医者や看護士等の医療従事者に携行させる複数の携帯端末から無線通信回線を通じて送信されてくる既に患者に対して行った医療業務行為に関する情報をサーバコンピュータが受信し、サーバコンピュータの補助記憶装置の医療業務行為データベースに記録し、医療業務行為データベースを用いて医療従事者が医療日誌等を作成することを支援する医療記録支援方法であって、一の携帯端末は、突発的に発生した事項に対して医療業務行為を行なったことを示す突発的医療行為情報に、医療業務行為を行った者がいずれの医療従事者であるのかを示す処置者情報及び病院内の何れの場所にいたかを示す位置情報を少なくとも付してサーバコンピュータへ送信する工程と、サーバコンピュータは、少なくとも処置者情報及び位置情報を伴う突発的医療行為情報を、又は少なくとも処置者情報及び位置情報を伴う突発的医療行為情報を医療業務行為を行った時刻情報と共に、医療業務行為データベースへ記録する工程と、サーバコンピュータは、処置者情報により関連付けられる医療従事者毎に医療業務行為データベースから時刻情報及び／又は位置情報を伴う突発的医療行為情報をまとめて出力する工程と、を備えて構成されてなる医療記録支援方法を提供する。
【０００９】
また、第二の本発明は、第一の本発明において、予め、医療業務行為データベースに患者に対してこれから行われる予定の医療業務行為を含む医療業務行為計画情報を記録する工程と、一の携帯端末は、医療業務行為データベースに予め記録されている医療行為計画情報に基づいて医療業務行為を行なったことを示す処置済情報、又は突発的医療行為情報に、少なくとも処置者情報及び位置情報を付してサーバコンピュータへ送信する工程と、サーバコンピュータは、少なくとも処置者情報及び位置情報を伴う処置済情報又は突発的医療行為情報を、又は少なくとも処置者情報及び位置情報を伴う処置済情報又は突発的医療行為情報を医療業務行為を行った時刻情報と共に、医療業務行為データベースへ記録する工程と、サーバコンピュータは、医療従事者毎に医療業務行為データベースから時刻情報及び／又は位置情報を伴う処置済情報及び突発的医療行為情報をまとめて出力する工程と、を備えていて、予定されていて行った医療業務行為及び突発的に生じて行った医療業務行為をあわせて閲覧及び記録可能にすることを特徴とする。
【００１０】
また、第三の本発明は、第二の本発明において、予め、少なくとも一の医療従事者と関連させ且つ行う時刻と共に、医療業務行為データベースに医療業務行為計画情報を記録する工程と、サーバコンピュータは、医療業務行為データベースに蓄積されている医療行為計画情報から、一の医療従事者に関する未だ行われていない医療業務行為計画情報を抽出する工程と、サーバコンピュータは、抽出した医療業務行為計画情報を、行う時刻及び既に行った医療業務行為であって医療業務行為の直近の医療業務行為を行った時刻と共に、一の医療従事者の携帯する一の携帯端末に送信する工程と、一の携帯端末は、一の医療従事者に参照可能に送信されてきた情報を出力する工程と、を備えていて、一の医療従事者は、これから行う医療業務行為に既に行った医療業務行為を反映可能にすることを特徴とする。
【００１１】
また、第四の本発明は、第一の本発明から第三の本発明のいずれか一つの発明において、予め、少なくとも患者毎に一の医療従事者及び外科や内科等のその医療分野と関連させて、医療業務行為データベースに医療業務行為計画情報を記録する工程と、サーバコンピュータは、医療業務行為データベースに蓄積されている一の医療従事者に関する位置情報と対応する一の患者情報を、医療業務行為計画情報から抽出し、一の医療従事者に送信する工程と、一の携帯端末は、一の患者情報と共に、一の患者の医療分野に適合した入力手段を、一の携帯端末の補助記憶装置の医療分野データベースから抽出して、一の医療従事者に参照可能に出力する工程と、を備えていて、一の患者に行われる医療業務行為が入力手段を介して入力可能になることを特徴とする。
【００１２】
また、第五の本発明は、第一の本発明から第四の本発明のいずれか一つの発明において、一の携帯端末は、突発的医療行為情報の一部として、音声及び／又は画像を一時的に記録する一時記録装置を作動させ、突発的医療行為情報に関する音声及び／又は画像を予備情報として一時的に記録し、予備情報を含む突発的医療行為情報をサーバコンピュータへ送信する工程と、サーバコンピュータは、受信した予備情報を突発的医療行為情報と共に医療業務行為データベースに記録する工程と、を備えていて、医療業務行為を行った者が医療日誌等を作成する時に、既に行った医療業務行為の内容を思い出す補助的な役割をなすことを特徴とする。
【００１３】
また、第六の本発明は、第一の本発明から第五の本発明のいずれか一つの発明において、サーバコンピュータは、医療従事者が持ち出した医薬品の持出医薬品情報を、医薬品を持ち出した医療従事者の処置者情報と関連付けて医薬品データベースに記録する工程と、一の携帯端末は、処置済情報又は突発的医療行為情報に、少なくとも医療業務行為に用いた医薬品の使用済医薬品情報を付してサーバコンピュータへ送信する工程と、サーバコンピュータは、医薬品データベースに記録されている持出医薬品情報を、使用済医薬品情報と照合する工程と、サーバコンピュータは、持出医薬品情報と合致する使用済医薬品情報が無い場合、持出医薬品情報と関連付けて医薬品データベースに記録されている処置者情報から特定される一の医療従事者の携帯する一の携帯端末に警告信号を送信する工程と、を備えていて、持ち出された医薬品が適切に管理されることを特徴とする。
【００１４】
さらに、第七の本発明は、患者に対して行った医療業務行為に関する情報を記録可能な医療業務行為データベースを補助記憶装置に有するサーバコンピュータと、医者や看護士等の医療従事者に携行させるサーバコンピュータに無線通信回線を介して互いにアクセス可能な複数の携帯端末と、を備え、医療業務行為データベースを用いて医療従事者が医療日誌等を作成することを支援する医療記録支援システムであって、一の携帯端末は、突発的に発生した事項に対して医療業務行為を行なったことを示す突発的医療行為情報を入力可能にする手段と、医療業務行為を行った者がいずれの医療従事者であるのかを示す処置者情報を提供可能にする手段と、医療業務行為を行なった者が、病院内の何れの場所にいたかを示す位置情報を病院内の所定の場所に配置された位置情報提供装置から提供される位置情報データから検出する手段と、そして、少なくとも処置者情報及び位置情報を付して突発的医療行為情報をサーバコンピュータへ送信する手段と、サーバコンピュータは、少なくとも処置者情報及び位置情報を伴う突発的医療行為情報を受信する手段と、少なくとも処置者情報及び位置情報を伴う突発的医療行為情報を、又は少なくとも処置者情報及び位置情報を伴う突発的医療行為情報を医療業務行為を行った時刻情報と共に医療業務行為データベースへ記録する手段と、そして、処置者情報により関連付けられる医療従事者毎に医療業務行為データベースから時刻情報及び／又は位置情報を伴う突発的医療行為情報をまとめて出力する手段と、を含んで構成されてなる医療記録支援システムを提供する。
【００１５】
また、第八の本発明は、第七の本発明において、一の携帯端末は、医療業務行為データベースに予め記録されている医療行為計画情報に基づいて医療業務行為を行なったことを示す処置済情報を入力可能にする手段と、そして、少なくとも処置者情報及び位置情報を付した処置者情報又は突発的医療行為情報をサーバコンピュータへ送信する手段と、サーバコンピュータは、予め、医療業務行為データベースに患者に対してこれから行われる予定の医療業務行為を含む医療業務行為計画情報を記録する手段と、少なくとも処置者情報及び位置情報を伴う処置済情報又は突発的医療行為情報を受信する手段と、少なくとも処置者情報及び位置情報を伴う処置済情報又は突発的医療行為情報を、又は少なくとも処置者情報及び位置情報を伴う処置済情報又は突発的医療行為情報を医療業務行為を行った時刻情報と共に医療業務行為データベースへ記録する手段と、そして、処置者情報により関連付けられる医療従事者毎に医療業務行為データベースから時刻情報及び／又は位置情報を伴う処置済情報及び突発的医療行為情報をまとめて出力する手段と、を備えることを特徴とする。
【００１６】
また、第九の本発明は、第八の本発明において、サーバコンピュータは、予め、少なくとも一の医療従事者と関連させ且つ行う時刻と共に、医療業務行為データベースに医療業務行為計画情報を記録する手段と、医療業務行為データベースに蓄積されている医療行為計画情報から、一の医療従事者に関する未だ行われていない医療行為計画情報を抽出する手段と、抽出した医療行為計画情報を、行う時刻及び既に行った医療業務行為であって医療業務行為の直近の医療業務行為を行った時刻を医療業務行為データベースから抽出する手段と、そして、医療行為計画情報を、行う時刻及び既に行った医療業務行為であって医療業務行為の直近の医療業務行為を行った時刻と共に、一の医療従事者の携帯する一の携帯端末に送信する手段と、一の携帯端末は、一の医療従事者に参照可能にサーバコンピュータから送信されてきた情報を出力する手段と、を備えることを特徴とする。
【００１７】
また、第十の本発明は、第七の本発明から第九の本発明のいずれか一項に記載の発明において、サーバコンピュータは、予め、少なくとも患者毎に一の医療従事者及び外科や内科等のその医療分野と関連させて、医療業務行為データベースに医療業務行為計画情報を記録する手段と、そして、医療業務行為データベースに蓄積されている一の医療従事者に関する位置情報と対応する一の患者情報を、医療業務行為計画情報から抽出し、一の医療従事者に送信する手段と、一の携帯端末は、医療分野ごとに特有の入力手段をまとめた医療分野データベースを記録する補助記憶装置と、そして、一の患者情報と共に、一の患者の医療分野に適合した入力手段を、医療分野データベースから抽出して、一の医療従事者に参照可能に出力する手段と、を備えることを特徴とする。
【００１８】
また、第十一の本発明は、第七の本発明から第十の本発明のいずれか一項に記載の発明において、一の携帯端末は、突発的医療行為情報の一部として、音声及び／又は画像を一時的に記録する一時記録装置と、一時記録装置を作動させ、突発的医療行為情報に関する音声及び／又は画像を予備情報として一時的に記録する手段と、そして、予備情報を含む突発的医療行為情報をサーバコンピュータへ送信する手段と、サーバコンピュータは、受信した予備情報を突発的医療行為情報と共に医療業務行為データベースに記録する手段と、を備えることを特徴とする。
【００１９】
また、第十二の本発明は、第七の本発明から第十一の本発明のいずれか一項に記載の発明において、一の携帯端末は、処置済情報又は突発的医療行為情報に、少なくとも医療業務行為に用いた医薬品の使用済医薬品情報を付してサーバコンピュータへ送信する手段と、サーバコンピュータは、一の医療従事者が持ち出した医薬品の持出医薬品情報が、少なくとも記録される医薬品データベースと、持出医薬品情報に医薬品を持ち出した一の医療従事者の処置者情報と関連付けて医薬品データベースに記録する手段と、医薬品データベースに記録されている持出医薬品情報を、使用済医薬品情報と照合し、持出医薬品情報と合致する使用済医薬品情報が無いか否かを判断する手段と、持出医薬品情報と合致する使用済医薬品情報が無いと判断した場合に、持出医薬品情報と関連付けて医薬品データベースに記録されている処置者情報から特定される一の医療従事者の携帯する一の携帯端末を特定する手段と、特定した一の携帯端末に警告信号を送信する手段と、  を備えていて、持ち出された医薬品が適切に管理されることを特徴とする。
【発明の効果】
【００２０】
本発明に係る医療記録支援方法及び医療記録支援システムによれば、予定になかった突発的な医療業務行為を行っても、確実に医療日誌等の医療記録に反映することが出来るようになる効果を有する。また、予定通りに行った医療業務行為と、突発的に行った医療業務行為を、一つのデータベースにまとめて記録保存し、行った医療業務行為の管理を漏れなく行うことが出来るようになる効果を有する。
【発明を実施するための最良の形態】
【００２１】
本発明に係る医療記録支援方法及び医療記録支援システムに関して、実施の形態に基づいて、更に詳しく説明する。
尚、本願明細書等の中において、「医療業務行為」とは、人間を診断したり、治療したり、手術したりする医療行為のみならず、医療従事者が病院等の医療機関において行う業務に基づく行為を全て含む語である。具体的には、入院患者の体を洗ったり、ベッドメーキングしたりすることも含む。但し、当該「医療業務行為」には、医療従事者が病院等で行う業務における行為全てを必ず含む必要はない。それ故、「医療業務行為」には、医療行為以外に任意に医療従事者が病院等の医療機関において行う業務に基づく行為を含むようにすることが出来る。すなわち、「医療業務行為」に含まれる行為を、医療日誌等の医療記録に記録を残すことを必要とする行為のみと限定することも可能である。
【００２２】
まず、図１は本発明に係る医療記録支援方法を実現する医療記録支援システムの全体の構成例を示した模式図である。
医療記録支援システムは、サーバコンピュータＳと、病院内の固定した端末であるナースセンタ等に設置される固定端末ＮＰＣ１、ＮＰＣ２、ＮＰＣ３、・・・、ＮＰＣｎと、医療従事者に携帯させる携帯端末Ｐ１、Ｐ２、Ｐ３、・・・、Ｐｎと、そして、病院内の所定の場所に配置される位置情報提供装置Ｔ１、Ｔ２、Ｔ３、・・・Ｔｎと、を含んで構成されている。
【００２３】
サーバコンピュータＳは、病院内の医療業務行為を管理する統括的なコンピュータである。サーバコンピュータＳは、病院に関する患者に対する医療業務行為の種々のデータがおさめられる補助記憶装置を少なくとも有している。但し、補助記憶装置は、サーバコンピュータの内にあっても、外にあっても良い。補助記憶装置は、サーバコンピュータＳの制御下におかれていればよい。尚、原則として、サーバコンピュータＳは、一つである。しかし、本発明は、サーバコンピュータを二つ以上として、互いに並列させることや、互いに従属関係をもたせることを排除するものではない。もちろん、それらの複合とすることも出来る。また、サーバコンピュータＳには、市販されている汎用ＰＣを用いることも出来る。
【００２４】
固定端末ＮＰＣ１、ＮＰＣ２、ＮＰＣ３、・・・、ＮＰＣｎは、サーバコンピュータＳに対するいわゆるクライアントコンピュータである。固定端末ＮＰＣ１、ＮＰＣ２、ＮＰＣ３、・・・、ＮＰＣｎは、電気通信回線を通じて、サーバコンピュータＳへ接続されている。そして、ナースセンタや医局等のそれぞれの病院内の部署に配置することが出来る。しかし、原則として、医療従事者のみが利用可能である。固定端末ＮＰＣ１、ＮＰＣ２、ＮＰＣ３、・・・、ＮＰＣｎは、サーバコンピュータＳへアクセスして、サーバコンピュータＳにおさめられている種々のデータを少なくとも取り出し可能である。そして、この電気通信回線は、無線か、有線かを問わない。尚、固定端末ＮＰＣ１、ＮＰＣ２、ＮＰＣ３、・・・、ＮＰＣｎとしては、市販されている汎用ＰＣを用いることが出来る。
【００２５】
携帯端末Ｐ１、Ｐ２、Ｐ３、・・・、Ｐｎは、医療従事者が行った医療業務行為をサーバコンピュータＳへ伝える端末コンピュータである。携帯端末Ｐ１、Ｐ２、Ｐ３、・・・、Ｐｎは、無線通信回線により、サーバコンピュータＳと少なくとも相互に通信可能である。また、病院内の所定の場所に配置される位置情報提供装置Ｔ１、Ｔ２、Ｔ３、・・・Ｔｎから位置情報を少なくとも検出可能である。そして、携帯端末Ｐ１、Ｐ２、Ｐ３、・・・、Ｐｎは、医者や看護婦等の医療従事者により、携帯される。尚、本発明は、固定端末ＮＰＣ１、ＮＰＣ２、ＮＰＣ３、・・・、ＮＰＣｎと電気通信回線を介して相互にアクセスすることを排除するものではない。
【００２６】
位置情報提供装置Ｔ１、Ｔ２、Ｔ３、・・・Ｔｎは、少なくとも位置情報を発信する発信機である。そして、これらは、病院内の所定の場所に配置される。所定の場所としては、病院内の柱や壁、ベッド等である。尚、位置情報の発信は連続的であっても良いし、不連続に定期的であっても良い。
【００２７】
以下に、図１の医療記録支援システムにおける本願発明の第一の実施形態（以下、「本第一の実施例」と呼ぶ）について説明する。
図２に、図１におけるサーバコンピュータＳと、固定端末ＮＰＣ１と、携帯端末Ｐ１と、位置情報提供装置Ｔ１と、を用いた本発明に係る本第一の実施例の模式図を示す。また、図３に、図２におけるサーバコンピュータＳと、固定端末ＮＰＣ１と、携帯端末Ｐ１と、そして位置情報提供装置Ｔ１と、に関するそれぞれの構成と関係を示すブロック図を示す。以下、図２及び図３に基づき本第一の実施例について説明する。
【００２８】
携帯端末Ｐ１は、ＣＰＵｐ１１と、ソフトウエアｓｐ１を格納したメモリｐ１２と、通信装置ｐ１３と、を備えている。ソフトウエアｓｐ１は、携帯端末Ｐ１を構成する一要素である。このソフトウエアｓｐ１にＣＰＵｐ１１が直接アクセスして命令やデータを処理し、命令実行やデータ操作を行う。そして、ＣＰＵｐ１１とソフトウエアｓｐ１から、突発的行為入力手段１１ａと、処置者情報抽出手段１１ｂと、位置情報受信検出手段１１ｃと、送信情報統合手段１１ｄと、送信手段１１ｅと、が少なくとも生じる。
【００２９】
また、本第一の実施例において、携帯端末Ｐ１は、少なくとも突発的に行った医療業務行為を入力可能にするボタンと、入力された突発的医療行為情報を送信可能にする送信部とを有している。本第一の実施例における、携帯端末Ｐ１の外観図を模式的に図４に示す。携帯端末Ｐ１は、外観上、入力ボタンＰ１−２と、送受信部Ｐ１−１を有している。そして、携帯端末Ｐ１を携帯している医療従事者ＮＰが入力ボタンＰ１−２を押したことを検知することにより、突発的に発生した事項に対して医療業務行為を行なったことを示す突発的医療行為情報を認識することが出来る。
【００３０】
次に、位置情報提供装置Ｔ１は、少なくとも発信機ｔ１１を有している。そして、この発信機ｔ１１から、位置情報データを発信する位置情報発信手段ｔ１１ａが生じる。
【００３１】
サーバコンピュータＳは、ＣＰＵｓ１１と、メモリｓ１２と、通信装置ｓ１３と、タイマ装置Ｗと、補助記憶装置ｓ１４と、を備えている。メモリｓ１２は、ソフトウエアｓｓ１を格納している。補助記憶装置ｓ１４は、医療業務行為データベースＭＤＢと、処置者データベースＤＢ１と、患者データベースＤＢ２とを書換可能に記録している。
【００３２】
ソフトウエアｓｓ１は、サーバコンピュータＳを構成する一要素である。このソフトウエアｓｓ１にＣＰＵｓ１１が直接アクセスして命令やデータを処理し、命令実行やデータ操作を行う。そして、ＣＰＵｓ１１とソフトウエアｓｓ１から、受信手段２１ａと、受信時刻抽出手段２１ｂと、受信情報認識手段２１ｃと、記録手段２１ｄと、要望抽出手段２１ｅと、関連情報抽出手段２１ｆと、送信手段２１ｇと、が少なくとも生じる。
【００３３】
また、本第一の実施例において、サーバコンピュータＳは、出力装置であるモニタＳ１と、入力装置であるキーボードＳ２とを有している（図２参照）。そして、医療従事者ＮＳがモニタＳ１やキーボードＳ２を介してサーバコンピュータＳへアクセス可能である。
【００３４】
固定端末ＮＰＣ１は、ＣＰＵｎｐｃ１１と、ソフトウエアｓｎ１を格納したメモリｎｐｃ１２と、通信装置ｎｐｃ１３と、を少なくとも備えている。ソフトウエアｓｎ１は、固定端末ＮＰＣ１を構成する一要素である。このソフトウエアｓｎ１にＣＰＵｎｐｃ１１が直接アクセスして命令やデータを処理し、命令実行やデータ操作を行う。そして、ＣＰＵｎｐｃ１１とソフトウエアｓｎ１から、要望送信手段ｎ２１ａと、要望受信手段ｎ２１ｂと、が少なくとも生じる。
【００３５】
次に、図５を用いて、本第一の実施例における上記手段による動作を時間の流れに従って説明する。
図５では、上部から下部に至るに従い、時間が経過するように記載している。また、点線でサーバコンピュータＳ、携帯端末Ｐ１、固定端末ＮＰＣ１、位置情報提供装置Ｔ１を示している。そして、それぞれ点線の中に、それぞれの手段を示している。
【００３６】
医療従事者ＮＰが、ベッドＢに横たわっている患者ＰＩに対する医療業務行為を行った後に、医療従事者ＮＰは携帯端末Ｐ１の入力ボタンＰ１−２を押す。これにより、まず、突発的行為入力手段１１ａが作動する。
【００３７】
突発的行為入力手段１１ａとは、当該携帯端末を携帯する医療従事者が、入力ボタンＰ１−２を押したことを検知して、次の処置者情報抽出手段１１ｂに作動信号を送信する手段である。これにより、突発的に発生した事項に対して医療業務行為を行なったことを示す突発的医療行為情報を入力可能になる。尚、ここで、「入力可能」とは、これから入力される処置者情報等を突発的医療行為情報の一部又は従属事項として抽出したり、検出したりすることをいう。また、本第一の実施例においては、入力ボタンＰ１−２を押したということは、予定になかった突発的な医療業務行為を当該医療従事者が行ったことに１対１で対応している。
【００３８】
次に、処置者情報抽出手段１１ｂが、作動する。処置者情報抽出手段１１ｂとは、メモリｐ１２のソフトウエアｓｐ１から処置者情報を抽出して、次の位置情報受信検出手段１１ｃに作動信号を送信する手段である。尚、本第一の実施例では、処置者情報は、当該携帯端末Ｐ１を表す装置情報「Ｐ１」である。
【００３９】
次に、位置情報受信検出手段１１ｃが作動する。位置情報受信検出手段１１ｃとは、最も近くにある位置情報提供装置から提供される位置情報データから位置情報を検出して、次の送信情報統合手段１１ｄに送信する手段である。本第一の実施例では、患者ＰＩが横たわっているベッドに備えられた位置情報提供装置Ｔ１が最も近くにある位置情報提供装置であり、この位置情報発信手段ｔ１１ａから位置情報データが絶えず発信されている。そこで、位置情報受信検出手段１１ｃは、送受信部Ｐ１−１から当該位置情報データを受信し、それに含まれる位置情報である装置情報「Ｔ１」を検出する。
【００４０】
次に、送信情報統合手段１１ｄが作動する。送信情報統合手段１１ｄとは、処置者情報や位置情報を、突発的医療行為情報の一部又は従属事項として一つの送信情報として統合して、送信手段１１ｅに作動信号を送信する手段である。本第一の実施例では、処置者情報である装置情報「Ｐ１」や位置情報である装置情報「Ｔ１」を突発的医療行為情報の一部又は従属事項として図６のように送信情報Ｉ１をまとめる。尚、この送信情報の形式であるフォーマットは、ソフトウエアｓｐ１の中に送信情報フォーマットとして含まれていて、且つ当該送信情報フォーマットには送信先のアドレスも付されている。
【００４１】
図６に、送信情報Ｉ１の模式図を示す。送信情報Ｉ１は、送信先アドレスをおさめる領域Ｉ１１と、処置者情報をおさめる領域Ｉ１２と、位置情報をおさめる領域Ｉ１３とからなっている。図６では、領域Ｉ１１に送信先であるサーバコンピュータＳのアドレス「Ｓ」がおさめられている。また、領域Ｉ１２には、処置者情報である装置情報「Ｐ１」がおさめられている。さらに、領域Ｉ１３には、位置情報である装置情報「Ｔ１」がおさめられている。尚、送信情報Ｉ１は、当該情報の全てで、突発的医療行為情報を形成している。
【００４２】
次に、送信手段１１ｅが作動する。送信手段１１ｅは、送信情報統合手段１１ｄによりまとめられた送信情報を、送信先のアドレスに従って送信する手段である。本第一の実施例では、送信情報Ｉ１を、領域Ｉ１１のアドレス「Ｓ」に従ってサーバコンピュータＳへ送信する。
【００４３】
送信された送信情報Ｉ１は、サーバコンピュータＳの受信手段２１ａにより受信される。尚、受信手段２１ａは、送信情報を受信し、受信時刻抽出手段２１ｂに作動信号を送信する手段である。
【００４４】
次に、受信時刻抽出手段２１ｂが作動する。受信時刻抽出手段２１ｂは、タイマ装置Ｗから送信情報を受信した時刻として時刻情報を抽出し、次の受信情報認識手段２１ｃに作動信号を送信する手段である。本第一の実施例では、タイマ装置Ｗは時計である。具体的には、タイマ装置Ｗから「９月１０日  ８時３２分」という時刻情報を抽出する。このように時刻情報として、月、日、時、分を抽出したが、その他に年、秒等を合わせて抽出可能にしても良い。また、タイマ装置Ｗは単なる時計である。しかし、例えば電波時計等であることを本発明は排除するものではない。本第一の実施例では、受信した時刻を時刻情報としているため、実際に医療業務行為を行った時刻と時刻情報における時刻とは異なっている。しかし、本発明において、時刻情報の時刻とは医療業務行為を行った時刻そのものでなくても良く、時刻情報により医療業務行為を医療日誌等に反映することが出来れば良い。すなわち、本発明における時刻情報は、医療業務行為を時系列的に整理及び管理するために用いるものであり、若干の許容範囲を含むものである。もちろん、医療業務行為を行った時刻そのものを時刻情報としても良い。尚、本第一の実施例では、サーバコンピュータＳで時刻情報を抽出することとした。しかし、本発明は時刻情報を携帯端末Ｐ１で抽出して、送信情報Ｉ１の一部として送信されてくることを排除するものではない。また、本発明は、時刻情報を抽出しないで、以下の手段により送信情報Ｉ１のみを突発的医療行為情報として記録することを排除するものではない。
【００４５】
次に、受信情報認識手段２１ｃが作動する。受信情報認識手段２１ｃは、受信した送信情報から、当該受信情報が突発的医療行為情報であり、処置者情報や位置情報を認識し、次の記録手段２１ｄに作動信号を送信する手段である。ここでは、まず、送信情報Ｉ１を受信情報としてそのまま置き換えて、領域Ｉ１２に含まれている装置情報「Ｐ１」を処置者情報として、そして、領域Ｉ１３に含まれている装置情報「Ｔ１」を位置情報として抽出する。次に、装置情報「Ｐ１」を処置者データベースＤＢ１（図７参照）に照らし合わせて、処置者名である処置者情報「日ノ本  太郎」を認識する。一方、装置情報「Ｔ１」を患者データベースＤＢ２（図８参照）に照らし合わせて、患者名である位置情報「骨折  弱子」を認識する。
尚、処置者データベースＤＢ１や患者データベースＤＢ２は、予め、モニタＳ１やキーボードＳ２を用いて医療従事者ＮＳ等により、構築されて補助記憶装置ｓ１４に記録されている。
【００４６】
次に、記録手段２１ｄが作動する。記録手段２１ｄとは、医療業務行為データベースＭＤＢに突発的医療行為情報に関する処置者情報、位置情報、時刻情報を記録する手段である。本第一の実施例では、医療業務行為データベースＭＤＢに、処置者情報として「処置者名」を、位置情報として「患者名」を、そして時刻情報として「時刻」をそれぞれ一体として記録する（図９参照）。
【００４７】
尚、本第一の実施例では、医療業務行為データベースＭＤＢに、突発的医療行為情報のみを含んでいる。そして、突発的医療業務行為情報は、時刻順に並んでいる。また、医療業務行為データベースＭＤＢ中の突発的医療行為情報は、処置者情報や位置情報から検索可能であり、処置者情報や位置情報が同じである突発的医療行為情報を集めて、固定端末ＮＰＣ１等の固定端末に提供可能になっている。
【００４８】
暫らくして、医療従事者Ｎ１は、医療日誌をつけるために、医療従事者ごとに突発的医療行為情報をまとめて何時でも出力可能にしておこうと思い、固定端末ＮＰＣ１に向かっている。そこで、医療従事者Ｎ１は、固定端末ＮＰＣ１にそれぞれの医療従事者の名前を入力する。例えば、医療従事者「日ノ本  太郎」の場合には、「日ノ本  太郎」と入力し、要望送信手段ｎ２１ａにより、医療従事者「日ノ本  太郎」に関する突発的医療行為情報をまとめて提供してもらいたい旨をサーバコンピュータＳへ通知する。尚、図示しないが、要望送信手段ｎ２１ａとは、特定のフォーマットに従い、医療従事者の名前を入力又は選択して、当該医療従事者に関する情報をまとめて提供してもらうように、サーバコンピュータＳへ当該医療従事者の名前等を要望信号として、当該固定端末のアドレスを含めて、送信する手段である。
【００４９】
次に、サーバコンピュータＳは、固定端末ＮＰＣ１から送信されてきた要望信号を、受信手段２１ａで受信する。そして、次の要望抽出手段２１ｅを作動させる。
【００５０】
要望抽出手段２１ｅとは、要望信号から医療従事者名等を抽出し、次の関連情報抽出手段２１ｆへ当該医療従事者名等を含む作動信号を送信する手段である。本第一の実施例では、「日ノ本  太郎」という医療従事者名が抽出される。
【００５１】
次に、関連情報抽出手段２１ｆが作動する。関連情報抽出手段２１ｆとは、抽出した医療従事者名等に関連する突発的医療行為情報を医療業務行為データベースから抽出して一つにまとめて、送信可能にし、次の送信手段２１ｆへ作動信号を送信する手段である。
尚、この一つにまとめる手段に関しては、説明を省略するが、従来からある表作成ソフト等の手段を用いることが出来る。
【００５２】
次に、送信手段２１ｇが作動する。送信手段２１ｇは、受信手段２１ａが受信した要望信号中に含まれている固定端末のアドレスに基づき、まとめた突発的医療行為情報を送信する手段である。このようにして、一の医療従事者に関する突発的医療行為情報を医療業務行為データベースからまとめて出力することが行われる。
【００５３】
さらに、図１の医療記録支援システムに基づく本願発明の第二の実施形態（以下、「本第二の実施例」と呼ぶ）について説明する。
尚、本第一の実施例で用いたものと同じ符号を付されたものは、同様のものである。
【００５４】
図１０に、図１におけるサーバコンピュータＳと、固定端末ＮＰＣ１と、携帯端末Ｐ１と、位置情報提供装置Ｔ１、Ｔ２と、を用いた本発明に係る本第二の実施例の模式図を示す。また、図１１に、図１０におけるサーバコンピュータＳと、固定端末ＮＰＣ１と、携帯端末Ｐ１と、そして位置情報提供装置Ｔ１と、に関するそれぞれの構成と関係を示すブロック図を示す。以下、図１０及び図１１を参照し、本第二の実施例について説明する。
【００５５】
携帯端末Ｐ１は、ＣＰＵｐ１１と、ソフトウエアｓｐ２を格納したメモリｐ１２と、通信装置ｐ１３と、補助記憶装置ｐ１４と、を備えている。ソフトウエアｓｐ２は、携帯端末Ｐ１を構成する一要素である。補助記憶装置ｐ１４は、医療分野データベースＰＤＢと、端末計画情報データベースＴＤＢとを書換可能に記録している。
【００５６】
このソフトウエアｓｐ２にＣＰＵｐ１１が直接アクセスして命令やデータを処理し、命令実行やデータ操作を行う。そして、ＣＰＵｐ１１とソフトウエアｓｐ２から、受信手段１２ａと、端末計画情報記録手段１２ｂと、着信信号発信手段１２ｃと、意思確認手段１２ｄと、抽出出力手段１２ｅと、医療業務行為入力手段１２ｆと、医療業務行為識別手段１２ｇと、処置者情報抽出手段１２ｈと、位置情報受信検出手段１２ｉと、送信情報統合手段１２ｊと、送信手段１２ｋと、予位置情報受信検出手段１２ｌと、予送信情報統合手段１２ｍと、医療分野認識抽出手段１２ｎと、が少なくとも生じる。
【００５７】
また、本第二の実施例において、携帯端末Ｐ１は、サーバコンピュータＳから送信されてきた情報を受信及び出力し、行った医療業務行為を入力可能にし、入力された医療業務行為に関する情報を送信可能にする手段を有している。本第二の実施例における、携帯端末Ｐ１の外観図を模式的に図１２に示す。携帯端末Ｐ１は、外観上、送受信部Ｐ１−１と、入出力表示部Ｐ１−３と、スピーカＰ１−４と、マイクＰ１−５と、カメラＰ１−６と、バーコードリーダーＰ１−７と、入力ボタン７Ｂと、を有している。そして、携帯端末Ｐ１の入出力表示部Ｐ１−３は、指又は図示しない付属ペン（携帯端末Ｐ１に付属のペン）で触ることにより、入出力が行えるようになっている。つまり、入出力表示部Ｐ１−３は、いわゆるタッチパネルとなっている。
尚、入出力表示部Ｐ１−３は、画面領域Ａ１と、画面領域Ａ２と、画面領域Ａ３とに分割されている。これらの画面領域に関しては後述する。また、マイクＰ１−５やカメラＰ１−６は、情報を一時的に記録させる装置であり本明細書等では、一時記録装置と称する。
【００５８】
カメラＰ１−６は、本第二の実施例では、静止画像を撮るようになっている。しかし、本発明は動画を撮ることを排除するものではない。また、バーコードリーダーＰ１−７は、入力ボタン７Ｂを押している間中作動し、医薬品等に付されたバーコードを読み取る機能を有し、これにより医療業務行為に用いた医薬品を特定することが出来る。本第二の実施例では、このような外部の情報を読み取るためにバーコードを用いているが、本発明はその他の手段を排除するものではない。
【００５９】
位置情報提供装置Ｔ１は、少なくとも発信機ｔ１１を有している。そして、この発信機ｔ１１から、位置情報データを発信する位置情報発信手段ｔ１２ａが生じる。
【００６０】
サーバコンピュータＳは、ＣＰＵｓ１１と、メモリｓ１２と、通信装置ｓ１３と、タイマ装置Ｗと、補助記憶装置ｓ１４と、を備えている。メモリｓ１２は、ソフトウエアｓｓ２を格納している。補助記憶装置ｓ１４は、医療業務行為データベースＭＤＢと、処置者データベースＤＢ３と、患者データベースＤＢ４とを書換可能に記録している。
【００６１】
本第二の実施例における医療業務行為データベースＭＤＢは、患者に対してこれから行われる予定の医療業務行為を含む医療業務行為計画情報をおさめた予医療業務行為データベースＭＤＢ１と、既に行った医療業務行為及び予定されていたが未だ実行されていない医療業務行為をおさめた既医療業務行為データベースＭＤＢ２とからなっている。尚、行う時刻の１時間後までに行われなかった医療業務行為は、未実行の印を付されて、既医療業務行為データベースＭＤＢ２に記録される。
【００６２】
ソフトウエアｓｓ２は、サーバコンピュータＳを構成する一要素である。このソフトウエアｓｓ２にＣＰＵｓ１１が直接アクセスして命令やデータを処理し、命令実行やデータ操作を行う。そして、ＣＰＵｓ１１とソフトウエアｓｓ２から、計画情報入力認識手段２２ａと、計画情報記録手段２２ｂと、計画情報抽出手段２２ｃと、携帯端末特定手段２２ｄと、計画情報統合手段２２ｅと、送信手段２２ｆと、受信手段２２ｇと、受信時刻抽出手段２２ｈと、受信情報認識手段２２ｉと、記録手段２２ｊと、要望抽出手段２２ｋと、関連情報抽出手段２２ｌと、未実行記録手段２２ｍと、医療分野統合手段２２ｎと、が少なくとも生じる。
【００６３】
また、本第二の実施例において、サーバコンピュータＳは、出力装置であるモニタＳ１と、入力装置であるキーボードＳ２とを有している（図１０参照）。そして、医療従事者ＮＳがモニタＳ１やキーボードＳ２を介してサーバコンピュータＳへアクセス可能である。
【００６４】
固定端末ＮＰＣ１は、ＣＰＵｎｐｃ１１と、ソフトウエアｓｎ２を格納したメモリｎｐｃ１２と、通信装置ｎｐｃ１３と、を少なくとも備えている。ソフトウエアｓｎ２は、固定端末ＮＰＣ１を構成する一要素である。このソフトウエアｓｎ２にＣＰＵｎｐｃ１１が直接アクセスして命令やデータを処理し、命令実行やデータ操作を行う。そして、ＣＰＵｎｐｃ１１とソフトウエアｓｎ２から、要望送信手段ｎ２２ａと、要望受信手段ｎ２２ｂと、が少なくとも生じる。
【００６５】
次に、図１３及び図１４を用いて、本第二の実施例における上記手段による動作を時間の流れに従って説明する。尚、図１３と図１４は分かれて記載しているが、これは作図上の便宜のためであり、図１３に図１４が連続的に続いているものとする。
【００６６】
図１３及び図１４では、上部から下部に至るに従い、時間が経過するように記載している。また、点線でサーバコンピュータＳ、携帯端末Ｐ１、固定端末ＮＰＣ１、位置情報提供装置Ｔ１を示している。そして、それぞれ点線の中に、それぞれの手段を示している。
【００６７】
サーバコンピュータＳは、モニタＳ１やキーボードＳ２から入力された医療従事者ＮＳからの入力項目を認識して、医療業務行為データベースＭＤＢの予医療業務行為データベースＭＤＢ１に予め記録する。そのために、計画情報入力認識手段２２ａ及び計画情報記録手段２２ｂが作動する。尚、この入力項目は、患者に対してこれから行われる予定の医療業務行為を含む医療業務行為計画情報である。具体的には、医者が処置室や病室等で回診中に判断したこれから行われる医療業務行為である。そして、本第二の実施例では、医療従事者ＮＳから「約２４時間後の９月１１日１８：００に薬剤ＡＢＣを、整形外科で入院している骨折弱子に注射する。」という内容の医療業務行為（以下、予行為１という。）のみが入力されたとする。尚、既に行われた医療業務行為をモニタＳ１やキーボードＳ２から入力されたならば、医療業務行為データベースＭＤＢの既医療業務行為データベースＭＤＢ２にサーバコンピュータＳは記録することが可能である。また、固定端末ＮＰＣ１、ＮＰＣ２、ＮＰＣ３、・・・、ＮＰＣｎから電気通信回線ｌ３を介して送信されてきた既に行われた及びこれから行われる予定の医療業務行為に関しても、サーバコンピュータＳは医療業務行為データベースＭＤＢに記録することが行われる。
【００６８】
医療従事者ＮＳからの入力に伴い、計画情報入力認識手段２２ａが作動する。
計画情報入力認識手段２２ａとは、医療業務行為データベースＭＤＢに患者に対してこれから行われる予定の医療業務行為を含む医療業務行為計画情報の入力を可能にし、且つ認識し、その後に計画情報記録手段２２ｂに作動信号を送信する手段である。
【００６９】
本第二の実施例では、まず、計画情報入力認識手段２２ａは、モニタＳ１に図１５に図示するような計画情報入力画面Ｓ−１を表示する。サーバコンピュータＳは計画情報入力画面Ｓ−１をモニタＳ１に表示し、医療業務行為計画情報を、「患者名」、「時刻」、「処置」、「備考」の観点から医療従事者に入力可能にする。図１５では、「患者名」の欄に「骨折弱子」、「時刻」の欄に「９／１１  １８：００」、「処置」の欄に「注射」、「備考」の欄に「薬剤ＡＢＣ」がキーボードＳ２を介して、医療従事者ＮＳにより入力される。そして、次に入力完了ボタンが押されたので、計画情報入力認識手段２２ａは、入力された医療業務行為計画情報を認識する。
【００７０】
次に、計画情報記録手段２２ｂが作動する。計画情報記録手段２２ｂとは、認識した医療業務行為計画情報を、予医療業務行為データベースＭＤＢ１に記録する手段である。より具体的には、処置者データベースＤＢ３（図１６参照）や患者データベースＤＢ４（図１７参照）を用いて、医療業務行為計画情報を詳細に予医療業務行為データベースＭＤＢ１に記録する。
【００７１】
ここで、図１６の処置者データベースＤＢ３には、各医療従事者とそれぞれが携帯する携帯端末の装置情報の対応関係と、各医療従事者がどの患者を担当するのかを示す患者情報が示されている。例えば、医療従事者である「日ノ本  太郎」は、装置情報「Ｐ１」の携帯端末Ｐ１を有し、且つ２００３年９月１０日及び２００３年９月１１日は共に装置情報「Ｔ１」、「Ｔ３」、「Ｔ５」の位置情報提供装置Ｔ１、Ｔ３、Ｔ５で特定される患者を担当することが示されている。
【００７２】
また、図１７の患者データベースＤＢ４には、各患者とそれぞれのベッドの装置情報の対応関係と、各患者がどの医療分野にかかっているのかを示す情報が示されている。例えば、患者である「骨折  弱子」は、装置情報「Ｔ１」の位置情報提供装置Ｔ１と関連するベッドに関係付けられ、且つ「整形外科」にかかっていることが示されている。
【００７３】
計画情報記録手段２２ｂは、計画情報入力認識手段２２ａで認識した入力された医療業務行為計画情報を、図１８に示すように予医療業務行為データベースＭＤＢ１に記録する。入力された患者名「骨折  弱子」を、図１７の患者データベースＤＢ４に照合し、装置情報「Ｔ１」と、医療分野「整形外科」を抽出する。また、抽出した装置情報「Ｔ１」と、入力された時刻の内の日付である「９／１１」を、図１６の処置者データベースに照合し、処置者名「日ノ本  太郎」を抽出する。このようにして抽出した情報を、入力された医療業務行為計画情報の一部として、予医療業務行為データベースＭＤＢ１に記録する（図１８参照）。
【００７４】
以上のように、計画情報入力認識手段２２ａ及び計画情報記録手段２２ｂにより、患者に行おうとしている医療業務行為計画情報は医療業務行為データベースＭＤＢに予め記録される。そして、この医療業務行為データベース中の予医療業務行為データベースＭＤＢ１内の医療業務行為計画情報を処置を行う時刻の前にそれぞれの携帯端末に送信することが行われる。
【００７５】
本第二の実施例では、予医療業務行為データベースＭＤＢ１内の医療業務行為計画情報であって、未だ行われていないものを、行うべき時刻の５分前に該当する携帯端末へ送信し、通知することを行う。これにより、該当する医療従事者は、前もって行うべき医療業務行為を再確認することが出来るようになる。
【００７６】
まず、計画情報抽出手段２２ｃが作動する。計画情報抽出手段２２ｃとは、予医療業務行為データベースＭＤＢ１内の医療業務行為計画情報であって、未だ行われていないものを、行う時刻の所定の時間前に特定して抽出し、且つ当該行為を行う前に既に行った医療業務行為の時刻を少なくとも抽出し、その後に携帯端末特定手段へ作動信号を送信する手段である。
【００７７】
本第二の実施例では、まず、９月１１日の１８：００に予行為１を行うこととなっているので、１７：５５に、予行為１に関する医療業務行為計画情報を抽出する。尚、この抽出は、例えば処置者名「日ノ本  太郎」、患者名「骨折  太郎」のように対応をとりながら抽出する。
さらに、既医療業務行為データベースＭＤＢ２から最近行った医療業務行為の行った時刻を少なくとも抽出する。この時には、患者名から検索する。尚、本第二の実施例では、この時刻である「９月１１日  １３：０８」の他に、そのときの医療業務行為として処置「投薬」及び備考「錠剤ＡＢＣ」も抽出する。
【００７８】
次に、携帯端末特定手段２２ｄが作動する。携帯端末特定手段２２ｄは、計画情報抽出手段２２ｃで抽出した処置者名等を基にして該当する携帯端末を特定し、次の計画情報統合手段２２ｅに作動信号を送信する手段である。本第二の実施例では、処置者名「日ノ本  太郎」を基に処置者データベースＤＢ３に照合して、携帯端末Ｐ１を特定する。
【００７９】
次に、計画情報統合手段２２ｅが作動する。計画情報統合手段２２ｅは、計画情報抽出手段２２ｃで抽出した医療業務行為計画情報を、携帯端末特定手段で特定した携帯端末を宛先として、送信情報Ｉ２として送信可能にする手段である。送信情報Ｉ２を模式的に図１９に示す。送信情報Ｉ２の領域Ｉ２１には送信先の携帯端末の宛先のアドレス「Ｐ１」を、領域Ｉ２２には患者の名前である「骨折  弱子」を、領域Ｉ２４ａ、領域Ｉ２５ａ、領域Ｉ２６ａにはそれぞれ予行為１に関する時刻「９/１１  １８：００」、処置「注射」、備考「薬剤ＡＢＣ」を、また、領域Ｉ２４ｂ、領域Ｉ２５ｂ、領域Ｉ２６ｂにはそれぞれ直近の医療業務行為に関する時刻「９/１１  １３：０８」、処置「投薬」、備考「錠剤ＡＢＣ」をおさめている。尚、宛先のアドレス「Ｐ１」は、処置者データベースＤＢ３に照合して抽出する。
【００８０】
次に、送信手段２２ｆが作動する。送信手段２２ｆは、送信情報を宛先のアドレスに従って一の携帯端末へ送信する手段である。本第二の実施例では、宛先のアドレス「Ｐ１」に従って、携帯端末Ｐ１に送信情報Ｉ２を送信する。
【００８１】
送信された送信情報Ｉ２は、携帯端末Ｐ１の受信手段１２ａにより受信される。尚、受信手段１２ａは、送信情報を受信し、端末計画情報記録手段１２ｂに作動信号を送信する手段である。
【００８２】
次に、端末計画情報記録手段１２ｂが作動する。端末計画情報記録手段１２ｂとは、受信した送信情報を端末計画情報データベースＴＤＢに記録し、次の着信信号発信手段１２ｃに作動信号を送信する手段である。本第二の実施例では、送信情報Ｉ２の内容を図示しない端末計画情報データベースＴＤＢにそれぞれの項目毎に取り出し可能に記録する。
【００８３】
次に、着信信号発信手段１２ｃが作動する。着信信号発信手段１２ｃとは、端末計画情報を受信したことを当該携帯端末を携帯する医療従事者に知らせるために着信信号を発信する手段である。本第二の実施例では、入出力表示部Ｐ１−３に着信を知らせる表示をすると共に、スピーカＰ１−４から「ピーピーピー」という音を発することで行われる。尚、本発明は、スピーカＰ１−４から音を発することや、入出力表示部Ｐ１−３に表示すること以外に、バイブレーターによる振動等を着信信号として用いることを排除するものではない。
【００８４】
ここで、携帯端末Ｐ１に着信信号発信手段１２ｃはどのように着信を知らせる表示をするのかを図を用いて説明する。まず、着信を知らせる前の通常状態を図２０に模式的に示す。図２０は、携帯端末Ｐ１の入出力表示部Ｐ１−３のみを表した模式図である。尚、前記したように入出力表示部Ｐ１−３は、いわゆるタッチパネルとなっている。
【００８５】
入出力表示部Ｐ１−３は、画面領域Ａ１と、画面領域Ａ２と、画面領域Ａ３とに分割されている。画面領域Ａ１は、画面領域Ａ２を切り替える戻るボタンＡ１１と、画面領域Ａ２で入力した事項をサーバコンピュータＳへ送信する送信ボタンＡ１２とを備えている。画面領域Ａ３は、カメラＰ１−６で写真撮影を可能にする撮影ボタンＡ３１と、マイクＰ１−５を用いて録音を可能にする録音ボタンＡ３２と、を備えている。尚、本第二の実施例では、カメラＰ１−６から撮影されるのは静止画像のみである。しかし、本発明は、静止画像以外に動画を撮影することを排除するものではない。
【００８６】
画面領域Ａ２は、医療業務行為データベースに予め記録されている前記医療業務行為計画情報に基づいて医療業務行為を行なったことを示す処置済情報を入力可能にする予定行為ボタンＡ２１と、突発的に発生した事項に対して医療業務行為を行なったことを示す突発的医療行為情報を入力可能にする突発的行為ボタンＡ２２とを備えている。そして、入出力表示部Ｐ１−３の画面領域Ａ２に、着信信号発信手段１２ｃは、着信を知らせる表示をする。
【００８７】
着信を知らせる表示がされた入出力表示部Ｐ１−３を図２１に示す。図２１の入出力表示部Ｐ１−３の画面領域Ａ２では、予定行為ボタンＡ２１の一端部近傍に着信印部Ａ２１ａが表示されている。これにより、当該携帯端末Ｐ１を携帯する医療従事者ＮＰは、端末計画情報をまとめた送信情報Ｉ２が着信したことを目視可能になる。
【００８８】
着信した端末計画情報を医療従事者ＮＰは閲覧する場合、予定行為ボタンＡ２１を指で押す等する必要がある。そこで、医療従事者ＮＰは、予定行為ボタンＡ２１を押す。着信印部Ａ２１ａが表示されている状態で作動し続けている意思確認手段１２ｄは、予定行為ボタンＡ２１が押されたことを検知する。尚、意思確認手段１２ｄは、着信した端末計画情報を当該携帯端末を携帯する医療従事者に閲覧可能に入出力表示部Ｐ１−３に表示するか否かを確認し、閲覧する意思の確認がとれたならば抽出出力手段１２ｅに作動信号を送信する手段である。
【００８９】
次に、抽出出力手段１２ｅが作動する。抽出出力手段１２ｅは、図示しない端末計画情報データベースＴＤＢに記録された送信情報Ｉ２の内容を入出力表示部Ｐ１−３に閲覧可能に出力する手段である。出力された入出力表示部Ｐ１−３を図２２に示す。
【００９０】
図２２において、処置を行う患者名は、患者表示部Ａ２１−１に、そして端末計画情報の内のこれから行われる予定は画面領域Ａ２の予行為部Ａ２１−２に表示される。さらに、直近の既に行われた医療業務行為は、既行為部Ａ２１−３に表示される。これにより、医療従事者ＮＰは、どんな医療業務行為を行うことが予定されているのかを知ることが出来るようになる。尚、どちらが予定されているものか、既に行われた行為であるのかは、時刻を見ることにより判別可能である。しかし、本発明は、この判別を行うために、他の表示をすることを排除するものではない。
【００９１】
医療従事者ＮＰが、画面領域Ａ２の予行為部Ａ２１−２の医療業務行為を行った。そのため、当該医療業務行為を行った旨をサーバコンピュータへ報告するために、送信ボタンＡ１２を押す。これに伴い、医療業務行為入力手段１２ｆが作動する。
【００９２】
医療業務行為入力手段１２ｆとは、当該携帯端末を携帯する医療従事者が、送信ボタンＡ１２を押したことを検知して、次の医療業務行為識別手段１２ｇへ作動信号を送信する手段である。これにより、処置済情報又は突発的医療行為情報のいずれかを入力可能になる。尚、ここで、「入力可能」とは、これから入力される処置者情報等を、これまでに入力された処置済情報又は突発的医療行為情報の一部又は従属事項として抽出したり、検出したりすることをいう。
【００９３】
次に、医療業務行為識別手段１２ｇが作動する。医療業務行為識別手段１２ｇとは、図２０の通常状態から送信ボタンＡ１２が押された段階までにどのような経路を辿ってきたか、あるいはどのような操作がなされてきたかを一時的に記録しているメモリｐ１２から呼び出し、そこから医療業務行為に関する情報が処置済情報又は突発的医療行為情報のいずれであるのか、そしてどのような内容なのかを識別及び認識し、次の処置者情報抽出手段１２ｈに作動信号を送信する手段である。
【００９４】
本第二の実施例では、予定行為ボタンＡ２１が押され、且つ図２２の入出力表示部Ｐ１−３が表示されているときに、送信ボタンが押された。それ故、当該医療業務行為に関する情報は、処置済情報であって、予定されていた医療業務行為、具体的には患者名「骨折弱子」、処置「注射」、備考「薬剤ＡＢＣ」の事項が認識される。
【００９５】
次に、処置者情報抽出手段１２ｈが、作動する。処置者情報抽出手段１２ｈとは、メモリｐ１２のソフトウエアｓｐ２から処置者情報を抽出して、次の位置情報受信検出手段１２ｉに作動信号を送信する手段である。尚、本第二の実施例では、処置者情報は、当該携帯端末Ｐ１を表す装置情報「Ｐ１」である。
【００９６】
次に、位置情報受信検出手段１２ｉが作動する。位置情報受信検出手段１２ｉとは、最も近くにある位置情報提供装置から提供される位置情報データから検出して、次の送信情報統合手段１２ｊに送信する手段である。本第二の実施例では、「骨折  弱子」である患者ＰＩ１に医療業務行為を行っていた医療従事者ＮＰが携帯する携帯端末Ｐ１の最も近くには、位置情報提供装置Ｔ１がある。そして、位置情報提供装置Ｔ１から位置情報発信手段ｔ１２ａから位置情報データが絶えず発信されている。そこで、位置情報受信検出手段１２ｉは、送受信部Ｐ１−１から当該位置情報データを受信し、それに含まれる位置情報である装置情報「Ｔ１」を検出する。
【００９７】
次に、送信情報統合手段１２ｊが作動する。送信情報統合手段１２ｊとは、処置者情報や位置情報を、処置済情報等の一部又は従属事項として一つの送信情報として統合して、送信手段１２ｋに作動信号を送信する手段である。本第二の実施例では、処置者情報である装置情報「Ｐ１」や位置情報である装置情報「Ｔ１」を処置済情報の一部又は従属事項として図２３のように送信情報Ｉ３をまとめる。尚、この送信情報の形式であるフォーマットは、ソフトウエアｓｐ２の中に送信情報フォーマットとして含まれていて、且つ当該送信情報フォーマットには送信先のアドレスも付されている。
【００９８】
図２３に、送信情報Ｉ３の模式図を示す。送信情報Ｉ３は、送信先のアドレスをおさめる領域Ｉ３１と、処置者情報をおさめる領域Ｉ３２と、患者名をおさめる領域Ｉ３３と、処置情報をおさめる領域Ｉ３４と、備考情報をおさめる領域Ｉ３５と、位置情報をおさめる領域Ｉ３６とからなっている。図２３では、領域Ｉ３１に送信先であるサーバコンピュータＳのアドレス「Ｓ」がおさめられている。領域Ｉ３２には、処置者情報である装置情報「Ｐ１」がおさめられている。領域Ｉ３３には、患者名「骨折  弱子」がおさめられている。領域Ｉ３４には、処置「注射」がおさめられている。領域Ｉ３５には、備考情報である「薬剤ＡＢＣ」がおさめられている。さらに、領域Ｉ３６には、位置情報である装置情報「Ｔ１」がおさめられている。尚、送信情報Ｉ３は、当該情報の全てで、処置済情報を形成している。
【００９９】
次に、送信手段１２ｋが作動する。送信手段１２ｋは、送信情報統合手段１２ｊによりまとめられた送信情報を、領域Ｉ３１の送信先のアドレスに従って、送信する手段である。本第一の実施例では、送信情報Ｉ３を、領域Ｉ３１のアドレス「Ｓ」に従って送信する。
【０１００】
送信された送信情報Ｉ３は、サーバコンピュータＳの受信手段２２ｊにより受信される。尚、受信手段２２ｊは、送信情報を受信し、受信時刻抽出手段２２ｈに作動信号を送信する手段である。
【０１０１】
次に、受信時刻抽出手段２２ｈが作動する。受信時刻抽出手段２２ｈは、タイマ装置Ｗから送信情報を受信した時刻として時刻情報を抽出し、次の受信情報認識手段２２ｉに作動信号を送信する手段である。本第一の実施例では、タイマ装置Ｗは時計である。具体的には、タイマ装置Ｗから「９月１１日  １８時６分」という時刻情報を抽出する。このように時刻情報として、月、日、時、分を抽出したが、その他に年、秒等を合わせて抽出可能にしても良い。また、タイマ装置Ｗは単なる時計である。しかし、例えば電波度計等であることを本発明は排除するものではない。
【０１０２】
次に、受信情報認識手段２２ｉが作動する。受信情報認識手段２２ｉは、受信した送信情報から処置者情報や位置情報を認識し、次の記録手段２２ｊに作動信号を送信する手段である。ここでは、まず、送信情報Ｉ３を受信情報としてそのまま置き換えて、領域Ｉ３２に含まれている装置情報「Ｐ１」を処置者情報として、領域Ｉ３３に含まれている患者名「骨折  弱子」を患者名として、領域Ｉ３４に含まれている処置「注射」を処置情報として、領域Ｉ３５に含まれている備考「薬剤ＡＢＣ」を備考情報として、そして、領域Ｉ３６に含まれている装置情報「Ｔ１」を位置情報として抽出する。次に、装置情報「Ｐ１」を処置者データベースＤＢ３（図１６参照）に照らし合わせて、処置者名である処置者情報「日ノ本  太郎」を認識する。一方、装置情報「Ｔ１」を患者データベースＤＢ４（図１７参照）に照らし合わせて、患者名である位置情報「骨折  弱子」を認識する。そして、この位置情報が、領域Ｉ３３の患者名「骨折  弱子」と同一であるか否かを調べる。これにより処置された患者が二重に確認され、医療ミスを軽減できるようになる。尚、受信した送信情報Ｉ３には、処置済情報であるのか又は突発的医療行為情報であるのかを区別する印として、処置済情報であることを明らかにするために何も付していない。すなわち、突発的医療行為情報には、突発的医療行為情報であることを示す違いがある。しかし、本第二の実施例では、図示していない。
【０１０３】
次に、記録手段２２ｊが作動する。記録手段２２ｊとは、医療業務行為データベースＭＤＢの既医療業務行為データベースＭＤＢ２に受信時刻抽出手段２２ｈや受信情報認識手段２２ｉで認識した事項を含めて処理済情報等を記録する手段である。本第二の実施例では、既医療業務行為データベースＭＤＢ２に、それぞれ一体として記録する（図２４参照）。
【０１０４】
尚、本第二の実施例では、既医療業務行為データベースＭＤＢ２に、処置済情報と突発的医療行為情報を含んでいる。そして、これらは、時刻順に並んでいる。また、既医療業務行為データベースＭＤＢ中の情報は、処置者情報等から検索可能であり、処置者情報等が同じである処置済情報等を集めて、固定端末ＮＰＣ１等の固定端末に提供可能になっている。また、図１３及び図１４では図示していないが、未実行記録手段２２ｍは、予医療業務行為データベースＭＤＢ１に記録されている医療業務行為計画情報であって既医療業務行為データベースに対応する処置が記録されたならば、当該医療業務行為は行われた印を図示しないが予医療業務行為データベースＭＤＢ１の該当する医療業務行為計画情報に印を付す。一方、未実行記録手段２２ｍは、予医療業務行為データベースＭＤＢ１に記録されている医療業務行為計画情報であって既医療業務行為データベースに対応する処置が一定時間経った後も記録されないならば、当該医療業務行為は行われなかったものとして、既医療業務行為データベースＭＤＢ２に行うべきだった時刻情報を付して、且つ未実行である印を付して記録する。これにより、既医療業務行為データベースＭＤＢ２を利用することで、既に行った医療業務行為と未実行の医療業務行為とを対応させた記録を作成することが出来るようになる。
【０１０５】
暫らくして、医療従事者Ｎ１が医療日誌をつけるために、医療従事者ごとに既に行った医療業務行為をまとめて何時でも出力可能にしておこうと思い、固定端末ＮＰＣ１に向かっている。そこで、医療従事者Ｎ１は、固定端末ＮＰＣ１にそれぞれの医療従事者の名前を入力する。例えば、医療従事者「日ノ本  太郎」の場合には、「日ノ本  太郎」と入力し、要望送信手段ｎ２２ａにより、医療従事者「日ノ本  太郎」に関する既に行った医療業務行為をまとめて提供してもらいたい旨をサーバコンピュータＳへ通知する。尚、図示しないが、要望送信手段ｎ２２ａとは、特定のフォーマットに従い、医療従事者の名前を入力又は選択して、当該医療従事者に関する情報をまとめて提供してもらうように、サーバコンピュータＳへ当該医療従事者の名前等を要望信号として、当該固定端末のアドレスを含めて、送信する手段である。
【０１０６】
次に、サーバコンピュータＳは、固定端末ＮＰＣ１から送信されてきた要望信号を、受信手段２２ｇで受信する。そして、次の要望抽出手段２２ｋを作動させる。
【０１０７】
要望抽出手段２２ｋとは、要望信号から医療従事者名等を抽出し、次の関連情報抽出手段２２ｌへ当該医療従事者名等を含む作動信号を送信する手段である。本第一の実施例では、「日ノ本  太郎」という医療従事者名が抽出される。
【０１０８】
次に、関連情報抽出手段２２ｌが作動する。関連情報抽出手段２２ｌとは、抽出した医療従事者名等に関連する医療業務行為を既医療業務行為データベースから抽出して一つのデータベースにまとめて、送信可能にし、次の送信手段２１ｆへ作動信号を送信する手段である。
尚、この一つにまとめる手段に関しては、説明を省略するが、従来からある表作成ソフト等の手段を用いることが出来る。
【０１０９】
次に、送信手段２２ｆが作動する。送信手段２２ｆは、受信手段２２ｇが受信した要望信号中に含まれている固定端末のアドレスに基づき、まとめたデータベースを送信する手段である。このように、一の医療従事者に関する既に行った医療業務行為を既医療業務行為データベースＭＤＢ２からまとめて出力することが行われる。
【０１１０】
一方、医療従事者ＮＰが突発的に発生した事項に対して医療業務行為を行なった時には、医療従事者ＮＰは携帯端末Ｐ１を介して、突発的医療行為情報を入力し、サーバコンピュータＳへ送信及び記録することが出来る。
医療従事者ＮＰは、突発的に発生した事項を通常状態の入出力表示部Ｐ１−３（図２０参照）である携帯端末Ｐ１、又は着信印部Ａ２１ａが表示されている入出力表示部Ｐ１−３（図２１参照）から、タッチパネルを指で触ることにより、突発的に行った医療業務行為の入力を始める。
【０１１１】
まず、医療従事者ＮＰは、突発的行為ボタンＡ２２を指で押す。これにより、突発的医療行為に対応する入出力表示部Ｐ１−３が表示される（図２５参照）。図２５の入出力表示部Ｐ１−３には、略図を用いた４種類のボタンが表示されている。その４種類のボタンは、検温検診ボタンＡ２２−１と、投薬ボタンＡ２２−２と、注射点滴ボタンＡ２２−３と、雑務その他ボタンＡ２２−４である。
【０１１２】
医療従事者ＮＰが行った突発的な医療業務行為は、「検温」である。これは、患者ＰＩ１から、「熱があるようだから測ってくれないか？」とたずねられたためである。それ故、医療従事者ＮＰは、検温検診ボタンＡ２２−１を押す。
【０１１３】
また、医療従事者ＮＰが患者ＰＩ１を検温した結果、体温は「３６．９℃」であった。これを突発的医療行為情報として記録に残すために、医療従事者ＮＰは録音する。医療従事者ＮＰは、録音ボタンＡ３２を押し、録音ボタンＡ３２を押してから３０秒以内に必要な事項をマイクＰ１−５に向かって発する。これにより、突発的な医療業務行為の内容を録音記憶することが出来るようになる。そして、この録音した内容は、予備情報ＲＩ１として一時的に補助記憶装置ｐ１４に記録される。尚、ここでは、録音時間を３０秒以内としたが、録音時間は任意に設定することが出来る。また、録音以外にカメラＰ１−６で撮影ボタンＡ３１を押して撮影をすることも可能であるが、ここでは録音のみを実行している。
【０１１４】
そして、送信ボタンＡ１２を押す。これにより突発的医療行為情報が入力可能になる。尚、当該突発的医療行為情報は、先に述べた医療業務行為入力手段１２ｆ、医療業務行為識別手段１２ｇ、処置者情報抽出手段１２ｈ、位置情報受信検診手段１２ｉ、送信情報統合手段１２ｊ、送信手段１２ｋにより、送信情報Ｉ４（図２６参照）としてサーバコンピュータＳへ、携帯端末Ｐ１から送信される。
【０１１５】
尚、送信情報Ｉ４は、送信先アドレスをおさめる領域Ｉ４１と、処置者情報をおさめる領域Ｉ４２と、処置情報をおさめる領域Ｉ４３と、位置情報をおさめる領域Ｉ４４と、録音録画情報をおさめる領域Ｉ４５と、からなっている。図２６では、領域Ｉ４１に送信先であるサーバコンピュータＳのアドレス「Ｓ」がおさめられている。また、領域Ｉ４２には、処置者情報である装置情報「Ｐ１」がおさめられている。また、領域Ｉ４３には、処置情報である「検温・検診」がおさめられている。さらに、領域Ｉ４４には、位置情報である装置情報「Ｔ１」がおさめられている。また、領域Ｉ４５には、予備情報である「ＲＩ１」がおさめられている。尚、送信情報Ｉ４は、当該情報の全てで、突発的医療行為情報を形成している。
【０１１６】
送信情報Ｉ４は、サーバコンピュータＳの受信手段２２ｇにより受信される。次に、受信時刻抽出手段２２ｈにより、受信時刻である「９月１１日  ２３時２８分」が抽出される。そして、受信情報認識手段２２ｉ、記録手段２２ｊにより、既医療業務行為データベースＭＤＢ２に図２７のように記録される。当該医療業務行為は、突発的に行った医療業務行為であるので、突発的であることを示す「突」という語も記録される。また、予備情報ＲＩ１は備考に記録され、後程この予備情報ＲＩ１を再生することが可能になる。尚、突発的医療行為情報を認識して、既医療業務行為データベースＭＤＢ２に記録するときには、処置者データベースＤＢ３（図１６参照）及び患者データベースＤＢ４（図１７参照）に照合することが行われる。
【０１１７】
ところで、突発的な医療業務行為を入力する方法として、携帯端末Ｐ１（図１２参照）に示したバーコードリーダーＰ１−７を用いることが出来る。このバーコードリーダーＰ１−７を用いて突発的な医療業務行為を入力することを以下に示す。また、以下では、患者に関する医療分野に注目した突発的な医療業務行為の入力を行う。尚、以下の本発明の説明は、上記本第二の実施例に基づくものである。
【０１１８】
医療従事者ＮＰは、突発的に発生した事項を通常状態の入出力表示部Ｐ１−３（図２０参照）である携帯端末Ｐ１、又は着信印部Ａ２１ａが表示されている入出力表示部Ｐ１−３（図２１参照）から、タッチパネルを指で触ることにより、突発的に行った医療業務行為の入力を始める。
【０１１９】
まず、医療従事者ＮＰは、突発的行為ボタンＡ２２及び予定行為ボタンＡ２１を同時又は、ほぼ同時に指で押す。これにより、携帯端末Ｐ１は、最も近くにいる患者のかかっている医療分野を教えて欲しい、と入力されたと判断する。携帯端末Ｐ１は、図１３や図１４に示していない予位置情報受信検出手段１２ｌが作動する。予位置情報受信検出手段１２ｌは、最も近くにある位置情報提供装置から提供される位置情報データから位置情報を検出して、次の予送信情報統合手段１２ｍに作動信号を送信する手段である。ここでは、患者ＰＩ１に医療業務行為を行っていた医療従事者ＮＰが携帯する携帯端末Ｐ１は、最も近くにある位置情報提供装置Ｔ１の位置情報発信手段ｔ１２ａから位置情報データが絶えず発信されているので、それを受信し、それに含まれる位置情報である装置情報「Ｔ１」を検出する。そして、予送信情報統合手段１２ｎは図示しないが当該装置情報「Ｔ１」を送信情報として統合し、送信手段１２ｋはこの装置情報「Ｔ１」をサーバコンピュータＳへ送信する。尚、この送信情報は、当該携帯端末Ｐ１の装置情報「Ｐ１」を、位置情報である装置情報「Ｔ１」に付して、サーバコンピュータＳへ送信可能に統合されたものである。
【０１２０】
サーバコンピュータＳは、この送信信号を受信し、受信情報認識手段２２ｉより送信情報の内容を認識する。その送信情報の内容は、「装置情報「Ｔ１」の患者の属する医療分野は何であるのか、を特定して、通知しろ。」というものである。なお、当該送信情報の意味は、図示しないが送信情報の形式によりサーバコンピュータＳは判別可能である。それ故、サーバコンピュータＳは、患者データベースＤＢ４に装置情報「Ｔ１」を照合し、「整形外科」という医療分野を特定する。そして、医療分野統合手段２２ｎは、この医療分野「整形外科」に送信先の携帯端末Ｐ１のアドレスである「Ｐ１」を付して、送信情報としてまとめる。その結果、当該医療分野「整形外科」を、携帯端末Ｐ１に送信することが可能になる。尚、送信先のアドレスは、サーバコンピュータＳの受信した送信情報に送信先である携帯端末Ｐ１の装置情報「Ｐ１」が付されているので、サーバコンピュータＳは認識することが出来る。
【０１２１】
送信されてきた医療分野の情報である「整形外科」は携帯端末Ｐ１の医療分野認識抽出手段１２ｎにより認識され、当該医療分野に固有の画面を入出力表示部Ｐ１−３に表示する。医療分野認識抽出手段１２ｎは、医療分野を認識し、且つ医療分野データベースＰＤＢから当該医療分野に該当する固有の画面を選択抽出して入出力表示部Ｐ１−３に出力する手段である。尚、医療分野データベースＰＤＢには、内科、外科、皮膚科、整形外科等の種々の医療分野における処置に関する固有の画面のフォーマットが記録されている。
【０１２２】
医療分野認識抽出手段１２ｎが出力した入出力表示部Ｐ１−３を図２８に示す。尚、図２８の当該入出力表示部Ｐ１−３は、「整形外科」に関する画面の一例である。しかし、本発明は、当該画面に限定するものでは無く、任意に設定することが出来る。
【０１２３】
図２８では、画面領域Ａ２に３つのボタンが表示されている。この３つのボタンとは、投薬注射ボタンＡ２２−５と、固定牽引ボタンＡ２２−６と、その他ボタンＡ２２−７である。投薬注射ボタンＡ２２−５を押したということは、抗生物質を投与したり、痛み止めの薬を注射したりしたことを意味する。また、固定牽引ボタンＡ２２−６を押すということは、包帯を巻いたり、ギブスの取り付け取り外しをしたりしたことを意味する。そして、その他ボタンＡ２２−７を押したということは、投薬、注射、固定、牽引以外のことを突発的に行ったということを意味する。尚、その他ボタンＡ２２−７を押したときには、さらに次の画面が表示され、更なる選択を可能にすることが出来る。しかし、ここでは、その他ボタンＡ２２−７を押したときには、押したときから１５秒間、録音が自動的に始まり、予備情報として記録されるように設定されている。
【０１２４】
医療従事者ＮＰが、患者ＰＩ１に突発的に行った医療業務行為は、痛み止めの薬である注射液ＤＥＦ（図２９参照）の注射である。そのため、医療従事者ＮＰは、投薬注射ボタンＡ２２−５を押す。
【０１２５】
一方、痛み止めの薬は、注射液ＤＥＦである。そして、量は５ｃｃである。そこで、この医療業務行為の内容を記録するために、医療従事者ＮＰは、バーコードリーダーＰ１−７を用いる。尚、注射液ＤＥＦのラベルｍ１には、当該注射液の名前及び量が記載されていて、且つこれらの事項をバーコードリーダーで読み取り可能なバーコードｍ２が付されている（図２９参照）。
【０１２６】
医療従事者ＮＰは、注射液ＤＥＦの内容をバーコードリーダーＰ１−７を用いて読み込むために、携帯端末Ｐ１の入力ボタン７Ｂを押しながら、バーコードリーダーＰ１−７を注射液ＤＥＦのバーコードｍ２に近づける。そして、読み込みが終わったら、入力ボタン７Ｂを離す。これにより、注射液ＤＥＦの内容が予備情報ＲＩ２として一時的に携帯端末Ｐ１の補助記憶装置Ｐ１４に記録される。
尚、本明細書等の中で、使用した医薬品を特定可能な情報であって、携帯端末からサーバコンピュータへ送信される情報を使用済医薬品情報という。
【０１２７】
バーコードリーダーＰ１−７での読み込みが終わった後、医療従事者ＮＰは、送信ボタンＡ１２を押す。これにより突発的医療行為情報が入力可能になる。尚、当該突発的医療行為情報は、先に述べた医療業務行為入力手段１２ｆ、医療業務行為識別手段１２ｇ、処置者情報抽出手段１２ｈ、位置情報受信検診手段１２ｉ、送信情報統合手段１２ｊ、送信手段１２ｋにより、送信情報Ｉ５（図３０参照）としてサーバコンピュータＳへ、携帯端末Ｐ１から送信される。
【０１２８】
尚、送信情報Ｉ５は、送信先アドレスをおさめる領域Ｉ５１と、処置者情報をおさめる領域Ｉ５２と、処置情報をおさめる領域Ｉ５３と、位置情報をおさめる領域Ｉ５４と、読み込んだ予備情報をおさめる領域Ｉ５５と、からなっている。図３０では、領域Ｉ５１に送信先であるサーバコンピュータＳのアドレス「Ｓ」がおさめられている。また、領域Ｉ５２には、処置者情報である装置情報「Ｐ１」がおさめられている。また、領域Ｉ５３には、処置情報である「投薬・注射」がおさめられている。さらに、領域Ｉ５４には、位置情報である装置情報「Ｔ１」がおさめられている。また、領域Ｉ４５には、バーコードリーダーＰ１−７で読み込んだ予備情報である「ＲＩ２」がおさめられている。尚、送信情報Ｉ５は、当該情報の全てで、突発的医療行為情報を形成している。
【０１２９】
送信情報Ｉ５は、サーバコンピュータＳの受信手段２２ｇにより受信される。次に、受信時刻抽出手段２２ｈにより、受信時刻である「９月１１日  ２３時５３分」が抽出される。そして、受信情報認識手段２２ｉ、記録手段２２ｊにより、既医療業務行為データベースＭＤＢ２に図３１のように記録される。当該医療業務行為は、突発的に行った医療業務行為であるので、突発的であることを示す「突」という語も記録される。また、バーコードを用いて読み込んだ予備情報ＲＩ２は備考に記録され、後程この予備情報ＲＩ２を参照することが可能になる。尚、突発的医療行為情報を認識して、既医療業務行為データベースＭＤＢ２に記録するときには、処置者データベースＤＢ３（図１６参照）及び患者データベースＤＢ４（図１７参照）に照合することが行われる。
【０１３０】
以上により、確実に突発的に行った医療業務行為は、患者に関する情報及び医療業務行為を行った時刻に関する情報を伴って記録されるようになる。そして、これを基に、医療従事者は、突発的に行った医療業務行為を忘れずに医療日誌等の医療記録に残すことが出来るようになる。ひいては、この結果記録が必ず残せるので、担当の医療従事者が変わった場合や、非常に忙しくて作業に混同が生じそうな場合でも、確実に既に行われた医療業務行為を反映した医療業務行為を行え、医療ミスを無くならせる効果を発揮する。
【０１３１】
ところで、病院では、予め記録されている医療行為計画情報に基づいて医療業務行為を行う場合や、突発的な医療業務行為を行う場合に、処置に使う医薬品を取り違えて、結果として重大な医療ミスを引き起こす場合がある。このような医療ミスを防ぐために、上記に示した手段及び方法以外に、以下の手段及び方法がある。
【０１３２】
まず、医療従事者は、医薬品を持ち出すときに、持ち出した医療従事者を判別可能な例えば処置者情報と、持ち出した医薬品の持出医薬品情報と、を関連付けて図示しないサーバコンピュータの医薬品データベースに記録する。この時には例えばサーバコンピュータにバーコード等の読み取り機器を設けておいて、これらの読み取り機器で医薬品のバーコード等を含むラベル等から医薬品名等の持出医薬品情報を読み取る。そして、一方で医療従事者は種々の方法及び手段により、当該医療従事者を特定する情報をサーバコンピュータへ入力する。サーバコンピュータは、これらを組み合わされて医薬品データベースに記録する。
【０１３３】
上記第二の実施例のように、医療従事者は、行った医療業務行為の情報である処置済情報又は突発的医療行為情報に、処置に際して用いた医薬品の使用済医薬品情報を付して携帯端末からサーバコンピュータへ送信する。もちろん、この使用済医薬品情報の読み込にはバーコードを用いることが出来る。
【０１３４】
そして、サーバコンピュータでは、送信されてきた使用済医薬品情報は、医療業務行為データベースに記録される。この医療業務行為データベースは、既医療業務行為データベースであっても良い。
【０１３５】
次に、サーバコンピュータは、医療業務行為データベース中の使用済医薬品情報を、医薬品データベース中の持出医薬品情報と、照合する。この時には、医療従事者に関する処置者情報が互いに合致する使用済医薬品情報と持出医薬品情報を対比させるのが最も好ましい。
【０１３６】
この結果、互いに合致したときには、適切に持ち出された医薬品が用いられたことを示している。そのため、この場合には、適切に使用された旨の記録が、医療業務行為データベース及び／又は医薬品データベースになされる。
【０１３７】
尚、このように医薬品の照合のみではなく、予め医療業務行為データベースに記録されている医療行為計画情報とも、複合的に照合するのが望ましい。これにより、予定されていた医薬品が適切に持ち出され、且つ適切に患者への処置に供されたのかを管理及び記録することが出来るようになる。つまり、医療日誌等に適切に反映することが出来るようになる。
【０１３８】
一方、医療業務行為データベース中の使用済医薬品情報を、医薬品データベース中の持出医薬品情報と照合したが、合致するものがない場合には、医薬品が不正に持ち出されたり、又は不適切な扱いがされた場合がある。それ故、医薬品を持ち出した医療従事者に警告を発する必要がある。
【０１３９】
この場合には、サーバコンピュータから該当する医療従事者の所有する携帯端末へ警告をする信号、すなわち警告信号を発する。これには、まず、医療従事者から処置者データベースＤＢ３を用いて、当該医療従事者の携帯する携帯端末を特定することが行われる。そして、この特定した携帯端末へ警告信号を送信する。もちろん、処置者情報として携帯端末を直接特定する情報が予め記録されているのであれば、処置者データベースＤＢ３を用いることを要しない。尚、警告信号は、携帯端末から単に警告音のみを発するものでも良いが、当該医療従事者に意識させることが可能であるものが良い。
【０１４０】
以上により、重大な医療ミスを未然に防ぐことが出来るようになる。尚、持出医薬品情報や使用済医薬品情報は共に、医薬品名、数量等を含むものと任意に設定できる。また、警告をするのは、持出医薬品情報が記録されてから、例えば１時間以内のように任意に条件を設定することも出来る。
【０１４１】
ところで、一の医療従事者が、悪意をもって、又は間違って、他の医療従事者の携帯端末を使用して医薬品を持ち出す場合には、当該他の医療従事者が当該医薬品を持ち出したとしてサーバコンピュータの医薬品データベースに記録される。この場合には、医薬品が適切に管理及び記録されない。そこで、サーバコンピュータでの医薬品の管理及び記録に関して、音声認識技術等を用いることが出来る。
【０１４２】
本発明では、サーバコンピュータに、音声認識技術等を備えることが可能である。この音声認識技術を用いて、医薬品の持出に際し、医薬品を持ち出した人間が、携帯端末を所有していると関連付けられている医療従事者と、同一人物か否かを判別することが可能である。具体的には、医療従事者は、医薬品を持ち出すときに、持ち出した医療従事者を判別可能な例えば処置者情報と、持ち出した医薬品の持出医薬品情報と、そして自己の名前の音声と、を関連付けて図示しないサーバコンピュータの医薬品データベースに記録する。この時には例えばサーバコンピュータにバーコード等の読み取り機器を設けておいて、これらの読み取り機器で医薬品のバーコード等を含むラベル等から医薬品名等の持出医薬品情報を読み取る。そして、一方で医療従事者は種々の方法及び手段により、当該医療従事者を特定する情報をサーバコンピュータへ入力する。また、サーバコンピュータや、サーバコンピュータへ電気通信回線を介してつながっている医薬品の管理場所である薬棚や薬剤室等のマイクを用いて、自己の名前の音声を入力してもらい、サーバコンピュータへ当該音声を入力する。そして、サーバコンピュータは、これらを組み合わされて医薬品データベースに記録する。
【０１４３】
一方、サーバコンピュータは、一の医療従事者の音声、すなわち自己の名前の音声を上記データベースや図示しないデータベースの少なくともいずれか一つのデータベースに記録している。この予め記録している音声と、医薬品データベースに記録された音声とを、音声認識技術や音声解析技術を用いて照合する。これにより、医薬品を持ち出した人間が、例えば処置者情報から特定される医療従事者と一致するか否かを図示しない判別手段が判別する。そして、このことをサーバコンピュータは、医療業務行為データベースに、行った医療業務行為に関する情報に併せて記録する。これにより、医薬品の持出が、適切にサーバコンピュータにより管理及び記録されることになる。ところで、図示しない判別手段により判別された結果、医薬品を持ち出した人間が、例えば処置者情報から特定される医療従事者と一致しない場合には、サーバコンピュータから関連する携帯端末等に警告音を発する信号を送ることが可能である。これにより、重大な医療ミス等を防止することが出来るようになる。尚、音声として、自己の名前を用いて述べたが、本発明はこれ以外の語による音声を排除するものではない。
【０１４４】
ところで、サーバコンピュータや、サーバコンピュータへ電気通信回線を介してつながっている医薬品の管理場所である薬棚や薬剤室等のマイクは、常時電源が入るようにしても良いが、所定の条件により電源が一定時間のみ入るようにすることも出来る。例えば、サーバコンピュータにバーコード等の読み取り機器を設けておいて、これらの読み取り機器で医薬品のバーコード等を含むラベル等から医薬品名等の持出医薬品情報を読み取ることに連動して、当該マイクが立ち上がるようにすることが出来る。この場合、名前等をマイクから入力し、サーバコンピュータへ送信及び蓄積されるので、５秒以上１０秒以下の間、電源が入ることが望ましい。もちろん、所定の時間経過後は、電源が自動的に切られる。これにより、必要最低限の音声に関する情報が蓄積され、医薬品の管理及び記録を行うことが出来るようになる。尚、劇薬等の重要度の高い医薬品のみこのような管理・記録をするようにしても良いが、それらの薬品以外に対しても適用することを本発明は排除しない。
【図面の簡単な説明】
【０１４５】
【図１】本発明に係る医療記録支援方法を実現する医療記録支援システムの全体の構成例を示した模式図である。
【図２】本発明に係る本第一の実施例の模式図である。
【図３】図２の本第一の実施例のブロック図である。
【図４】本第一の実施例における携帯端末の模式図である。
【図５】本第一の実施例における手段の関係を時間に従い表した流れ図である。
【図６】本第一の実施例における送信情報の一例である。
【図７】本第一の実施例における処置者データベースの一例である。
【図８】本第一の実施例における患者データベースの一例である。
【図９】本第一の実施例における医療業務行為データベースの一例である。
【図１０】本発明に係る本第二の実施例の模式図である。
【図１１】図１０の本第二の実施例のブロック図である。
【図１２】本第二の実施例における携帯端末の模式図である。
【図１３】本第二の実施例における手段の関係を時間に従い表した流れ図である。
【図１４】本第二の実施例における手段の関係を時間に従い表した流れ図である。
【図１５】医療業務行為計画情報を入力する画面の一例である。
【図１６】本第二の実施例における処置者データベースの一例である。
【図１７】本第二の実施例における患者データベースの一例である。
【図１８】本第二の実施例における予医療業務行為データベースの一例である。
【図１９】本第二の実施例における送信情報の一例である。
【図２０】本第二の実施例における携帯端末の入出力表示部の通常状態の一例である。
【図２１】本第二の実施例における携帯端末の入出力表示部の一例である。
【図２２】本第二の実施例における携帯端末の入出力表示部の一例である。
【図２３】本第二の実施例における送信情報の一例である。
【図２４】本第二の実施例における既医療業務行為データベースの一例である。
【図２５】本第二の実施例における携帯端末の入出力表示部の一例である。
【図２６】本第二の実施例における送信情報の一例である。
【図２７】本第二の実施例における既医療業務行為データベースの一例である。
【図２８】本第二の実施例における携帯端末の入出力表示部の一例である。
【図２９】本第二の実施例における医薬品の一例である。
【図３０】本第二の実施例における送信情報の一例である。
【図３１】本第二の実施例における既医療業務行為データベースの一例である。
【符号の説明】
【０１４６】
Ｓ  サーバコンピュータ
ｓ１１  ＣＰＵ        ｓ１２  メモリ        ｓ１３  通信装置
ｓ１４  補助記憶装置  Ｗ  タイマ装置
ｓｓ１、ｓｓ２  ソフトウエア
ＭＤＢ  医療業務行為データベース
ＭＤＢ１  予医療業務行為データベース
ＭＤＢ２  既医療業務行為データベース
ＤＢ１、ＤＢ３  処置者データベース
ＤＢ２、ＤＢ４  患者データベース
ＮＰＣ１、ＮＰＣ２、ＮＰＣ３、ＮＰＣｎ  固定端末
ｎｐｃ１１  ＣＰＵ    ｎｐｃ１２  メモリ    ｎｐｃ１３  通信装置
ｓｎ１、ｓｎ２  ソフトウエア
Ｐ１、Ｐ２、Ｐ３、Ｐｎ  携帯端末
ｐ１１  ＣＰＵ        ｐ１２  メモリ        ｐ１３  通信装置
ｐ１４  補助記憶装置
ｓｐ１、ｓｐ２  ソフトウエア
ＴＤＢ  端末計画情報データベース
ＰＤＢ  医療分野データベース
Ｔ１、Ｔ２、Ｔ３、Ｔｎ  位置情報提供装置
ｔ１１  発信機 
【図１】
2005141387.tif 000003
【図２】
2005141387.tif 000004
【図３】
2005141387.tif 000005
【図４】
2005141387.tif 000006
【図５】
2005141387.tif 000007
【図６】
2005141387.tif 000008
【図７】
2005141387.tif 000009
【図８】
2005141387.tif 000010
【図９】
2005141387.tif 000011
【図１０】
2005141387.tif 000012
【図１１】
2005141387.tif 000013
【図１２】
2005141387.tif 000014
【図１３】
2005141387.tif 000015
【図１４】
2005141387.tif 000016
【図１５】
2005141387.tif 000017
【図１６】
2005141387.tif 000018
【図１７】
2005141387.tif 000019
【図１８】
2005141387.tif 000020
【図１９】
2005141387.tif 000021
【図２０】
2005141387.tif 000022
【図２１】
2005141387.tif 000023
【図２２】
2005141387.tif 000024
【図２３】
2005141387.tif 000025
【図２４】
2005141387.tif 000026
【図２５】
2005141387.tif 000027
【図２６】
2005141387.tif 000028
【図２７】
2005141387.tif 000029
【図２８】
2005141387.tif 000030
【図２９】
2005141387.tif 000031
【図３０】
2005141387.tif 000032
【図３１】
2005141387.tif 000033